(57)【要約】【課題】静止していないときでも物理量検出素子の異常を診断することが可能な物理量検出回路を提供すること。【解決手段】物理量検出素子から出力される検出信号に基づいて、物理量の大きさに応じた物理量信号を生成する物理量信号生成回路と、前記物理量信号の値と前記物理量信号の値の変化量とに基づいて、前記物理量検出素子が異常である可能性があるか否かを判定する異常判定回路と、前記異常判定回路により前記物理量検出素子が異常である可能性があると判定された場合に、前記物理量検出素子の異常の有無を診断する異常診断回路と、を含む、物理量検出回路。【選択図】図４
2019082441.tif 000002
【特許請求の範囲】
【請求項１】
物理量検出素子から出力される検出信号に基づいて、物理量の大きさに応じた物理量信号を生成する物理量信号生成回路と、
前記物理量信号の値と前記物理量信号の値の変化量とに基づいて、前記物理量検出素子が異常である可能性があるか否かを判定する異常判定回路と、
前記異常判定回路により前記物理量検出素子が異常である可能性があると判定された場合に、前記物理量検出素子の異常の有無を診断する異常診断回路と、
を含む、物理量検出回路。
【請求項２】
請求項１において、
前記異常判定回路は、
前記物理量信号の値の絶対値が所定の第１閾値以上であること及び前記物理量信号の値の変化量の絶対値が所定の第２閾値以上であることの少なくとも一方である場合、前記物理量検出素子が異常である可能性があると判定する、物理量検出回路。
【請求項３】
請求項２において、
前記第１閾値は、
前記物理量検出素子に、検出可能な範囲で最大の前記物理量が加わったときに生成される前記物理量信号の値の絶対値以上である、物理量検出回路。
【請求項４】
請求項２において、
前記第１閾値は、
前記物理量検出素子に、検出可能な範囲で最大の前記物理量が加わったときに生成される前記物理量信号の値の絶対値の９０％以上である、物理量検出回路。
【請求項５】
請求項２乃至４の何れか一項において、
前記第２閾値は、
前記第１閾値以上である、物理量検出回路。
【請求項６】
請求項１乃至５の何れか一項において、
前記異常診断回路は、
前記物理量検出素子に入力されるテスト信号を生成し、前記テスト信号に応答して前記物理量検出素子から出力される信号に基づいて、前記物理量検出素子の異常の有無を診断する、物理量検出回路。
【請求項７】
請求項１乃至６の何れか一項に記載の物理量検出回路と、
前記物理量検出素子と、
を含む、物理量検出装置。
【請求項８】
請求項７に記載の物理量検出装置と、
前記物理量検出装置から出力された前記物理量信号を取得し、前記物理量信号を処理する信号処理回路と、
前記信号処理回路の処理によって得られた慣性データを外部に送信する通信回路と、
を含む、慣性計測装置。
【請求項９】
移動体に搭載され、前記移動体の位置を測定する移動体測位装置であって、
請求項８に記載の慣性計測装置と、
測位用衛星から衛星信号を受信し、前記衛星信号に重畳されている測位用情報を取得する衛星信号受信部と、
前記測位用情報に基づいて、前記移動体の位置を算出する位置算出部と、
前記慣性計測装置から出力される前記慣性データに基づいて、前記移動体の姿勢を算出する姿勢算出部と、
前記姿勢に基づいて前記位置を補正する位置補正部と、
を含む、移動体測位装置。
【請求項１０】
請求項７に記載の物理量検出装置と、
前記物理量検出装置が収容されているケースと、
前記ケースに収容され、前記物理量検出装置からの出力データを処理する処理部と、
前記ケースに収容されている表示部と、
前記ケースの開口部を塞いでいる透光性カバーと、
を含む、携帯型電子機器。
【請求項１１】
請求項７に記載の物理量検出装置と、
前記物理量検出装置から出力された前記物理量信号に基づいて演算処理を行う演算処理装置と、
を含む、電子機器。
【請求項１２】
請求項７に記載の物理量検出装置と、
前記物理量検出装置から出力された前記物理量信号に基づいて姿勢の制御を行う姿勢制御部と、
を含む、移動体。
【発明の詳細な説明】
【技術分野】
【０００１】
本発明は、物理量検出回路、物理量検出装置、慣性計測装置、移動体測位装置、携帯型電子機器、電子機器及び移動体に関する。
【背景技術】
【０００２】
近年、物理量検出素子に設けられている対向する電極間に生じる静電容量の容量値が物理量（加速度や角速度等）の大きさ及び向きに応じて変化することを利用して物理量を検出する静電容量型の物理量検出装置（物理量センサー）が開発されている。例えば、シリコンＭＥＭＳ（Ｍｉｃｒｏ  Ｅｌｅｃｔｒｏ  Ｍｅｃｈａｎｉｃａｌ  Ｓｙｓｔｅｍ）技術を用いた静電容量型の加速度検出装置（加速度センサー）や角速度検出装置（角速度センサー）が広く知られている。
【０００３】
このような静電容量型の物理量検出装置では、例えば、対向する電極同士の貼り付きが生じると静電容量が非常に大きくなるため、物理量検出素子は、常に大きな加速度が加わっているかような検出信号を出力することになる。また、例えば、検出信号が伝搬する配線が切断されると、物理量検出素子は、常に加速度が加わっていないかような検出信号を出力することになる。従って、このような物理量検出素子の異常を直ちに検出することができなければ、物理量検出装置から出力される物理量信号に基づいて処理を行う外部装置が誤動作を起こすことになり得る。
【０００４】
従来、物理量検出素子自体に自己診断の為の機構が設けることで、異常を検出していたが、素子の面積が増えてしまう、製造プロセスに不具合があった場合、自己診断機構が正常に機能しない場合がある、素子に異常が生じた場合、素子を破壊せずに異常の原因を解析することが難しいといった問題がある。
【０００５】
これに対して、特許文献１には、車両が停止状態であるか否かを判定する停止状態判定手段を備え、停止状態判定手段により停止状態であると判定したときに、加速度検出素子の出力が異常であるか否かを判定する方法が記載されており、この方法を適用すれば、素子に自己診断機構を設ける必要がないので、上記の各種の問題を解決することが可能であるともいえる。
【先行技術文献】
【特許文献】
【０００６】
【特許文献１】特開２００９−１９８９８号公報
【発明の概要】
【発明が解決しようとする課題】
【０００７】
しかしながら、物理量検出装置に特許文献１に記載の方法を適用した場合、物理量検出装置が静止していなければ異常診断を行うことができないため、物理量検出装置が静止しているときだけでなく静止していないときでも物理量検出素子の異常を診断可能であることが望まれる。
【０００８】
本発明のいくつかの態様によれば、静止していないときでも物理量検出素子の異常を診断することが可能な物理量検出回路及び物理量検出装置を提供することができる。また、本発明のいくつかの態様によれば、当該物理量検出装置を用いることにより、外部に送信される慣性データの信頼性を高めることが可能な慣性計測装置を提供することができる。
また、本発明のいくつかの態様によれば、当該慣性計測装置を用いることにより、測定される移動体の位置の信頼性を高めることが可能な移動体測位装置を提供することができる。また、本発明のいくつかの態様によれば、当該物理量検出装置を用いることにより、検出された物理量に基づく処理の信頼性を高めることが可能な携帯型電子機器、電子機器及び移動体を提供することができる。
【課題を解決するための手段】
【０００９】
本発明は前述の課題の少なくとも一部を解決するためになされたものであり、以下の態様または適用例として実現することが可能である。
【００１０】
［適用例１］
本適用例に係る物理量検出回路は、物理量検出素子から出力される検出信号に基づいて、物理量の大きさに応じた物理量信号を生成する物理量信号生成回路と、前記物理量信号の値と前記物理量信号の値の変化量とに基づいて、前記物理量検出素子が異常である可能性があるか否かを判定する異常判定回路と、前記異常判定回路により前記物理量検出素子が異常である可能性があると判定された場合に、前記物理量検出素子の異常の有無を診断する異常診断回路と、を含む。
【００１１】
本適用例に係る物理量検出回路では、正常な物理量検出素子に物理量が加わった場合に生成される物理量信号の値は、所望の範囲で比較的緩やかに変化する傾向があるのに対して、物理量検出素子に電極同士の貼り付き等の異常が生じた場合、物理量信号の値は非常に大きくなり、あるいは、急峻に変化しやすい。従って、本適用例に係る物理量検出回路によれば、物理量信号の値と変化量とに基づいて、物理量検出素子が異常である可能性があるか否かを判定することができ、さらに、異常である可能性がある場合に、物理量検出素子の異常の有無を診断することにより、静止していないときでも物理量検出素子の異常を診断することができる。
【００１２】
［適用例２］
上記適用例に係る物理量検出回路において、前記異常判定回路は、前記物理量信号の値の絶対値が所定の第１閾値以上であること及び前記物理量信号の値の変化量の絶対値が所定の第２閾値以上であることの少なくとも一方である場合、前記物理量検出素子が異常である可能性があると判定してもよい。
【００１３】
本適用例に係る物理量検出回路では、物理量検出素子に異常が生じた場合、物理量信号の値は非常に大きくなやすいので、第１閾値を適宜設定することにより、異常判定回路は、物理量信号の値の絶対値が第１閾値以上である場合に、物理量検出素子が異常である可能性があると判定することができる。また、物理量検出素子に異常が生じた場合、物理量信号の値が急峻に変化しやすいので、第２閾値を適宜設定することにより、異常判定回路は、物理量信号の値の変化量の絶対値が第２閾値以上である場合に、物理量検出素子が異常である可能性があると判定することができる。従って、本適用例に係る物理量検出回路によれば、異常診断回路が、物理量検出素子が異常である可能性がある場合に、物理量検出素子の異常の有無を診断することにより、静止していないときでも物理量検出素子の異常を診断することができる。
【００１４】
［適用例３］
上記適用例に係る物理量検出回路において、前記第１閾値は、前記物理量検出素子に、検出可能な範囲で最大の前記物理量が加わったときに生成される前記物理量信号の値の絶対値以上であってもよい。
【００１５】
本適用例に係る物理量検出回路では、物理量検出素子に電極同士の貼り付き等の異常が
生じた場合に生成される物理量信号の値の絶対値は、当該物理量検出素子が正常である場合に、検出可能な範囲で最大の物理量が加わったときに生成される物理量信号の値の絶対値よりも長くなる。従って、本適用例に係る物理量検出回路によれば、異常判定回路は、物理量信号の値の絶対値が第１閾値以上である場合に、物理量検出素子が異常である可能性があると判定することができる。
【００１６】
［適用例４］
上記適用例に係る物理量検出回路において、前記第１閾値は、前記物理量検出素子に、検出可能な範囲で最大の前記物理量が加わったときに生成される前記物理量信号の値の絶対値の９０％以上であってもよい。
【００１７】
本適用例に係る物理量検出回路によれば、物理量検出素子に検出可能な最大の物理量の９０％以上の物理量が加わることはほとんどなく、あっても瞬時的であると考えられる場合には、異常判定回路は、物理量信号の値の絶対値が第１閾値以上である場合に、物理量検出素子が異常である可能性があると判定することができる。
【００１８】
［適用例５］
上記適用例に係る物理量検出回路において、前記第２閾値は、前記第１閾値以上であってもよい。
【００１９】
本適用例に係る物理量検出回路では、物理量検出素子に異常が生じた場合、物理量検出信号の値が、非常に大きく変化し、その変化量の絶対値が第１閾値以上になり得る。従って、本適用例に係る物理量検出回路によれば、異常判定回路は、物理量信号の値の変化量の絶対値が第２閾値以上である場合に、物理量検出素子が異常である可能性があると判定することができる。
【００２０】
［適用例６］
上記適用例に係る物理量検出回路において、前記異常診断回路は、前記物理量検出素子に入力されるテスト信号を生成し、前記テスト信号に応答して前記物理量検出素子から出力される信号に基づいて、前記物理量検出素子の異常の有無を診断してもよい。
【００２１】
本適用例に係る物理量検出回路によれば、物理量検出素子にテスト信号が供給されることにより、所定の大きさ及び向きの物理量が加わったのと同様の状態が作り出され、異常診断回路は、物理量検出素子から出力される信号に基づいて、前記物理量検出素子の異常の有無を診断することができる。
【００２２】
［適用例７］
本適用例に係る物理量検出装置は、上記のいずれかの物理量検出回路と、前記物理量検出素子と、を含む。
【００２３】
本適用例に係る物理量検出装置によれば、物理量検出回路において、物理量信号の値と変化量とに基づいて、物理量検出素子が異常である可能性があるか否かを判定することができ、さらに、異常である可能性がある場合に、物理量検出素子の異常の有無を診断することにより、静止していないときでも物理量検出素子の異常を診断することができる。
【００２４】
［適用例８］
本適用例に係る慣性計測装置は、上記の物理量検出装置と、前記物理量検出装置から出力された前記物理量信号を取得し、前記物理量信号を処理する信号処理回路と、前記信号処理回路の処理によって得られた慣性データを外部に送信する通信回路と、を含む。
【００２５】
本適用例に係る慣性計測装置によれば、物理量検出装置によって静止していないときでも物理量検出素子の異常を診断することが可能であるので、外部に送信される慣性データの信頼性を高めることができる。
【００２６】
［適用例９］
本適用例に係る移動体測位装置は、移動体に搭載され、前記移動体の位置を測定する移動体測位装置であって、上記の慣性計測装置と、測位用衛星から衛星信号を受信し、前記衛星信号に重畳されている測位用情報を取得する衛星信号受信部と、前記測位用情報に基づいて、前記移動体の位置を算出する位置算出部と、前記慣性計測装置から出力される前記慣性データに基づいて、前記移動体の姿勢を算出する姿勢算出部と、前記姿勢に基づいて前記位置を補正する位置補正部と、を含む。
【００２７】
本適用例に係る移動体測位装置によれば、慣性計測装置により信頼性の高い慣性データが得られるので、測定される移動体の位置の信頼性を高めることができる。
【００２８】
［適用例１０］
本適用例に係る携帯型電子機器は、上記の物理量検出装置と、前記物理量検出装置が収容されているケースと、前記ケースに収容され、前記物理量検出装置からの出力データを処理する処理部と、前記ケースに収容されている表示部と、前記ケースの開口部を塞いでいる透光性カバーと、を含む。
【００２９】
本適用例に係る携帯型電子機器によれば、物理量検出装置によって静止していないときでも物理量検出素子の異常を診断することが可能であるので、物理量検出装置によって検出された物理量に基づく処理の信頼性を高めることができる。
【００３０】
［適用例１１］
本適用例に係る電子機器は、上記の物理量検出装置と、前記物理量検出装置から出力された前記物理量信号に基づいて演算処理を行う演算処理装置と、を含む。
【００３１】
本適用例に係る電子機器によれば、物理量検出装置によって静止していないときでも物理量検出素子の異常を診断することが可能であるので、物理量検出装置によって検出された物理量に基づく演算処理の信頼性を高めることができる。
【００３２】
［適用例１２］
本適用例に係る移動体は、上記の物理量検出装置と、前記物理量検出装置から出力された前記物理量信号に基づいて姿勢の制御を行う姿勢制御部と、を含む。
【００３３】
本適用例に係る移動体によれば、物理量検出装置によって静止していないときでも物理量検出素子の異常を診断することが可能であるので、物理量検出装置によって検出された物理量に基づく姿勢制御の信頼性を高めることができる。
【図面の簡単な説明】
【００３４】
【図１】本実施形態の物理量検出装置の機能構成を示す図。
【図２】物理量検出素子を含む物理量検出部の一例を示す平面図。
【図３】図２中のＡ−Ａ線断面図。
【図４】本実施形態における物理量検出回路の構成を示す図。
【図５】本実施形態における信号波形の一例を示す図。
【図６】異常判定方法及び異常診断方法のフローチャート図。
【図７】異常診断に移行する前後のＸ軸加速度信号、判定信号及びテストモード信号の波形の一例を示す図。
【図８】異常診断に移行する前後の各種信号の波形の一例を示す図。
【図９】本実施形態の慣性計測装置の構成例を示す図。
【図１０】本実施形態の移動体測位装置の構成例を示す図。
【図１１】本実施形態の電子機器の機能ブロック図。
【図１２】電子機器の一例であるスマートフォンの外観の一例を示す図。
【図１３】電子機器の一例である腕装着型の携帯機器の外観の一例を示す図。
【図１４】電子機器の一例であるリスト機器（腕時計型の活動計）の外観の一例を示す図。
【図１５】リスト機器（腕時計型の活動計）の機能ブロック図。
【図１６】本実施形態の移動体の一例を示す図（上面図）。
【発明を実施するための形態】
【００３５】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００３６】
以下では、物理量として加速度を検出する物理量検出装置（加速度検出装置）を例にとり説明する。
【００３７】
１．物理量検出装置
［物理量検出装置の構成］
図１は、本実施形態の物理量検出装置１の機能構成を示す図である。本実施形態の物理量検出装置１は、互いに異なり、交差（理想的には、直交）する３軸（Ｘ軸、Ｙ軸、Ｚ軸）の物理量（ここでは加速度）を検出する。図１に示すように、物理量検出装置１は、物理量検出素子２Ｘ，２Ｙ，２Ｚと物理量検出回路３とを含む。
【００３８】
物理量検出素子２Ｘは、Ｘ軸の方向に加わった物理量（Ｘ軸加速度）に応じた検出信号を出力する素子である。物理量検出素子２Ｙは、Ｙ軸の方向に加わった物理量（Ｙ軸加速度）に応じた検出信号を出力する素子である。物理量検出素子２Ｚは、Ｚ軸の方向に加わった物理量（Ｚ軸加速度）に応じた検出信号を出力する素子である。すなわち、物理量検出素子２Ｘ，２Ｙ，２Ｚの各検出軸がＸ軸，Ｙ軸，Ｚ軸となる。
【００３９】
物理量検出回路３は、物理量検出素子２Ｘ，２Ｙ，２Ｚをそれぞれ駆動するために必要な信号を生成し、物理量検出素子２Ｘ，２Ｙ，２Ｚに供給する。そして、物理量検出回路３は、物理量検出素子２Ｘから出力される検出信号に基づいて、Ｘ軸方向に加わった物理量（Ｘ軸加速度）の大きさ及び向きに応じた物理量信号であるＸ軸加速度信号を生成する。また、物理量検出回路３は、物理量検出素子２Ｙから出力される検出信号に基づいて、Ｙ軸方向に加わった物理量（Ｙ軸加速度）の大きさ及び向きに応じた物理量信号であるＹ軸加速度信号を生成する。また、物理量検出回路３は、物理量検出素子２Ｚから出力される検出信号に基づいて、Ｚ軸方向に加わった物理量（Ｚ軸加速度）の大きさ及び向きに応じた物理量信号であるＺ軸加速度信号を生成する。
【００４０】
本実施形態では、物理量検出素子２Ｘ，２Ｙ，２Ｚは、それぞれ、第１固定電極と第２固定電極とが設けられた固定部と、可動電極（可動部）とを含む。第１固定電極と可動電極とは対向しており、これらによって第１容量形成部が構成される。同様に、第２固定電極と可動電極とは対向しており、これらによって第２容量形成部が構成される。このような物理量検出素子２Ｘ，２Ｙ，２Ｚに検出軸方向の加速度ａが加わると、質量ｍの可動部にはＦ＝ｍ×ａの力Ｆが働く。この力Ｆにより、可動部は固定部に対して相対的に変位する。このとき、加速度ａの向きに応じて、第１容量形成部の静電容量値が減少するとともに第２容量形成部の静電容量値が増大し、あるいは、第１容量形成部の静電容量値が増大
するとともに第２容量形成部の静電容量値が減少する。このため、第１容量形成部と第２容量形成部の共通端に電荷を供給した状態で物理量検出素子２Ｘ，２Ｙ，２Ｚに加速度ａが作用すると、第１容量形成部の一端及び第２容量形成部の一端からそれぞれ出力される電荷（信号）は、絶対値がほぼ等しく符号が逆の差動信号対となる。物理量検出回路３は、物理量検出素子２Ｘ，２Ｙ，２Ｚからそれぞれ出力される差動信号対を検出信号として３軸物理量信号（Ｘ軸加速度信号、Ｙ軸加速度信号及びＺ軸加速度信号）を生成する。
【００４１】
このような物理量検出素子２Ｘ，２Ｙ，２Ｚは、いずれも差動容量型センサーであり、例えば、Ｓｉ（シリコン）等の半導体材料と、半導体加工技術を用いたＭＥＭＳ（Micro Electro Mechanical Systems）で形成される。
【００４２】
［物理量検出素子の構造］
次に、物理量検出素子２Ｘ、２Ｙ，２Ｚのうち、Ｘ軸加速度を検出可能な物理量検出素子２Ｘを代表として、その構造の一例について詳細に説明する。なお、物理量検出素子２Ｘの構造としては、以下に説明するもの以外にも種々のものが考えられ、用途に応じて適宜設計すればよい。同様に、図示及び説明を省略するが、Ｙ軸加速度を検出可能な物理量検出素子２Ｙ及びＺ軸加速度を検出可能な物理量検出素子２Ｚの構造についても種々のものが考えられ、用途に応じて適宜設計すればよい。
【００４３】
図２は、物理量検出素子２Ｘを含む物理量検出部の一例を示す平面図である。図３は、図２中のＡ−Ａ線断面図である。なお、以下では、説明の便宜上、図２中の紙面手前側および図３中の上側を「上」とも言い、図２中の紙面奥側および図３中の下側を「下」とも言う。また、各図に示すように、互いに直交する３つの軸をＸ軸、Ｙ軸およびＺ軸とし、Ｘ軸に平行な方向を「Ｘ軸方向」、Ｙ軸に平行な方向を「Ｙ軸方向」、Ｚ軸に平行な方向を「Ｚ軸方向」とも言う。また、各軸の矢印方向先端側を「プラス側」とも言い、反対側を「マイナス側」とも言う。
【００４４】
図２に示す物理量検出部は、基板２００と、基板２００上に配置された素子部２１０（物理量検出素子２Ｘ）と、素子部２１０を覆うように基板２００に接合された蓋部３１０と、を有している。素子部２１０は、物理量検出素子２Ｘ（図１参照）として機能する。
【００４５】
基板２００は、矩形の平面視形状を有する板状をなしている。また、基板２００は、上面側に開放する凹部２０１を有している。Ｚ軸方向からの平面視で、凹部２０１は、素子部２１０を内側に内包するように、素子部２１０よりも大きく形成されている。この凹部２０１は、素子部２１０と基板２００との接触を防止するための逃げ部として機能する。
【００４６】
また、図３に示すように、基板２００は、凹部２０１の底面に設けられた３つの突起状のマウント部２０２、２０３、２０４を有している。マウント部２０２には第１固定電極部２２１が接合され、マウント部２０３には第２固定電極部２３１が接合され、マウント部２０４には可動部支持部２５０が接合されている。
【００４７】
また、図２に示すように、基板２００は、上面側に開放する溝部２０５、２０６、２０７を有している。溝部２０５、２０６、２０７の一端部は、それぞれ、蓋部３１０の外側に位置し、他端部は、それぞれ、凹部２０１に接続されている。
【００４８】
基板２００としては、例えば、アルカリ金属イオン（可動イオン）を含むガラス材料（例えば、パイレックスガラス（登録商標）のような硼珪酸ガラス）で構成されたガラス基板を用いることができる。これにより、例えば、蓋部３１０の構成材料によっては、基板２００と蓋部３１０とを陽極接合により接合することができ、これらを強固に接合することができる。また、光透過性を有する基板２００が得られるため、基板２００を介して素
子部２１０の状態を視認することができる。
【００４９】
ただし、基板２００としては、ガラス基板に限定されず、例えば、シリコン基板やセラミックス基板を用いてもよい。なお、シリコン基板を用いる場合は、短絡を防止する観点から、高抵抗のシリコン基板を用いるか、表面に熱酸化等によってシリコン酸化膜（絶縁性酸化物）を形成したシリコン基板を用いることが好ましい。
【００５０】
図２に示すように、溝部２０５、２０６、２０７には配線３０１、３０２、３０３が設けられている。溝部２０５内の配線３０１の一端部は、蓋部３１０の外側に露出しており、物理量検出回路３の端子ＸＰ（図４参照）との電気的な接続を行う端子７Ｘとして機能する。図３に示すように、配線３０１の他端部は、凹部２０１を介してマウント部２０２まで引き回されている。そして、配線３０１は、マウント部２０２上で第１固定電極部２２１と電気的に接続されている。
【００５１】
図２に示すように、溝部２０６内の配線３０２の一端部は、蓋部３１０の外側に露出しており、物理量検出回路３の端子ＸＮ（図４参照）との電気的な接続を行う端子８Ｘとして機能する。図３に示すように、配線３０２の他端部は、凹部２０１を介してマウント部２０３まで引き回されている。そして、配線３０２は、マウント部２０３上で第２固定電極部２３１と電気的に接続されている。
【００５２】
図２に示すように、溝部２０７内の配線３０３の一端部は、蓋部３１０の外側に露出しており、物理量検出回路３の端子ＣＯＭ（図４参照）との電気的な接続を行う端子９Ｘとして機能する。図３に示すように、配線３０３の他端部は、凹部２０１を介してマウント部２０４まで引き回されている。そして、配線３０３は、マウント部２０４上で可動部支持部２５０と電気的に接続されている。
【００５３】
配線３０１、３０２、３０３の構成材料としては、特に限定されず、例えば、金（Ａｕ）、銀（Ａｇ）、白金（Ｐｔ）、パラジウム（Ｐｄ）、イリジウム（Ｉｒ）、銅（Ｃｕ）、アルミニウム（Ａｌ）、ニッケル（Ｎｉ）、Ｔｉ（チタン）、タングステン（Ｗ）等の金属材料、これら金属材料を含む合金、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ、ＩＧＺＯ等の酸化物系の透明導電性材料が挙げられ、これらのうちの１種または２種以上を組み合わせて（例えば２層以上の積層体として）用いることができる。
【００５４】
図２に示すように、蓋部３１０は、矩形の平面視形状を有する板状をなしている。図３に示すように、蓋部３１０は、下面側に開放する凹部３１１を有している。そして、蓋部３１０は、凹部３１１内に素子部２１０を収納するようにして、基板２００に接合されている。そして、蓋部３１０および基板２００によって、素子部２１０を収納する収納空間Ｓが形成されている。
【００５５】
また、図３に示すように、蓋部３１０は、収納空間Ｓの内外を連通する連通孔３１２を有しており、この連通孔３１２を介して収納空間Ｓを所望の雰囲気に置換することができる。連通孔３１２内には、封止部材３１３が配置され、封止部材３１３によって、連通孔３１２が封止されている。
【００５６】
封止部材３１３としては、連通孔３１２を封止できれば、特に限定されず、例えば、金（Ａｕ）／錫（Ｓｎ）系合金、金（Ａｕ）／ゲルマニウム（Ｇｅ）系合金、金（Ａｕ）／アルミニウム（Ａｌ）系合金等の各種合金、低融点ガラス等のガラス材料等を用いることができる。
【００５７】
収納空間Ｓは、窒素、ヘリウム、アルゴン等の不活性ガスが封入されて、使用温度（−４０℃〜８０℃程度）で、ほぼ大気圧となっていることが好ましい。収納空間Ｓを大気圧とすることで、粘性抵抗が増してダンピング効果が発揮され、可動部２６０の振動を速やかに収束（停止）させることができる。そのため、物理量検出素子２ＸによるＸ軸加速度の検出精度が向上する。
【００５８】
蓋部３１０は、本実施形態では、シリコン基板で構成されている。ただし、蓋部３１０としては、シリコン基板に限定されず、例えば、ガラス基板やセラミックス基板を用いてもよい。また、基板２００と蓋部３１０との接合方法としては、特に限定されず、基板２００や蓋部３１０の材料によって適宜選択すればよいが、例えば、陽極接合、プラズマ照射によって活性化させた接合面同士を接合させる活性化接合、ガラスフリット等の接合材による接合、基板２００の上面および蓋部３１０の下面に成膜した金属膜同士を接合する拡散接合等が挙げられる。
【００５９】
本実施形態では、図３に示すように、接合材の一例であるガラスフリット３１４（低融点ガラス）を介して基板２００と蓋部３１０とが接合されている。基板２００と蓋部３１０とを重ね合わせた状態では、溝部２０５、２０６、２０７を介して収納空間Ｓの内外が連通してしまうが、ガラスフリット３１４を用いることで、基板２００と蓋部３１０とを接合すると共に、溝部２０５、２０６、２０７を封止することができ、より容易に、収納空間Ｓを気密封止することができる。なお、基板２００と蓋部３１０とを陽極接合等（溝部２０５、２０６、２０７を封止できない接合方法）で接合した場合には、例えば、ＴＥＯＳ（テトラエトキシシラン）を用いたＣＶＤ法等で形成されたＳｉＯ２膜によって溝部２０５、２０６、２０７を塞ぐことができる。
【００６０】
図２に示すように、素子部２１０（物理量検出素子２Ｘ）は、基板２００に固定されている固定電極部２２０と、基板２００に固定されている可動部支持部２５０と、可動部支持部２５０に対してＸ軸方向に変位可能な可動部２６０と、可動部支持部２５０と可動部２６０とを連結するバネ部２７０、２７４と、可動部２６０に設けられている可動電極部２８０と、を有している。このうち、可動部支持部２５０、可動部２６０、バネ部２７０、２７４および可動電極部２８０は、一体的に形成されている。このような素子部２１０は、例えば、リン（Ｐ）、ボロン（Ｂ）等の不純物がドープされたシリコン基板をパターニングすることで形成することができる。また、素子部２１０は、陽極接合によって基板２００（マウント部２０２、２０３、２０４）に接合されている。ただし、素子部２１０の材料や、素子部２１０の基板２００への接合方法は、特に限定されない。
【００６１】
図２に示すように、可動部支持部２５０は、Ｘ軸方向に延在する長手形状をなしている。そして、可動部支持部２５０は、Ｘ軸方向のマイナス側の端部にマウント部２０４と接合している接合部２５１を有している。なお、本実施形態では、可動部支持部２５０は、Ｘ軸方向に延在する長手形状となっているが、可動部支持部２５０の形状としては、その機能を発揮することができる限り、特に限定されない。また、以下では、Ｚ軸方向から見た平面視で、可動部支持部２５０をＹ軸方向に二等分する仮想軸を中心軸Ｌとする。
【００６２】
可動部支持部２５０は、第１固定電極部２２１および第２固定電極部２３１の間に位置している。これにより、可動部支持部２５０を、可動部２６０の中心部に配置することができ、可動部２６０をより安定して支持することができる。
【００６３】
図２に示すように、可動部２６０は、Ｚ軸方向から見た平面視で、枠状をなしており、可動部支持部２５０、バネ部２７０、バネ部２７４、第１固定電極部２２１および第２固定電極部２３１を囲んでいる。すなわち、可動部２６０は、固定電極部２２０を囲む枠状をなしている。これにより、可動部２６０の質量をより大きくすることができる。そのた
め、より感度を向上させ、精度よく物理量を検出することができる。
【００６４】
また、可動部２６０は、内側に第１固定電極部２２１が配置された第１開口部２６８（第１切り欠き部）と、内側に第２固定電極部２３１が配置された第２開口部２６９（第２切り欠き部）と、を有している。また、第１開口部２６８および第２開口部２６９は、Ｙ軸方向に並んで配置されている。このような可動部２６０は、中心軸Ｌに対して対称である。
【００６５】
可動部２６０の形状をより具体的に説明すると、可動部２６０は、可動部支持部２５０、バネ部２７０、バネ部２７４、第１固定電極部２２１および第２固定電極部２３１を囲む枠部２６１と、第１開口部２６８のＸ軸方向プラス側に位置し、枠部２６１からＹ軸方向マイナス側へ延出する第１Ｙ軸延在部２６２と、第１Ｙ軸延在部２６２の先端部からＸ軸方向マイナス側へ延出する第１Ｘ軸延在部２６３と、第２開口部２６９のＸ軸方向プラス側に位置し、枠部２６１からＹ軸方向プラス側へ延出する第２Ｙ軸延在部２６４と、第２Ｙ軸延在部２６４の先端部からＸ軸方向マイナス側へ延出する第２Ｘ軸延在部２６５と、を有している。また、第１Ｙ軸延在部２６２および第２Ｙ軸延在部２６４は、それぞれ、バネ部２７０の近くに設けられ、バネ部２７０のＹ軸方向（バネ片２７１の延在方向）に沿うように配置されており、第１Ｘ軸延在部２６３および第２Ｘ軸延在部２６５は、それぞれ、可動部支持部２５０の近くに設けられ、可動部支持部２５０に沿って配置されている。
【００６６】
このような構成において、第１Ｙ軸延在部２６２および第１Ｘ軸延在部２６３は、第１可動電極指２８２を支持する支持部として機能し、第２Ｙ軸延在部２６４および第２Ｘ軸延在部２６５は、第２可動電極指２９２を支持する支持部として機能する。
【００６７】
また、可動部２６０は、第１開口部２６８の余ったスペースを埋めるように、枠部２６１から第１開口部２６８内へ突出する第１突出部２６６と、第２開口部２６９の余ったスペースを埋めるように、枠部２６１から第２開口部２６９内へ突出する第２突出部２６７と、を有している。このように、第１突出部２６６および第２突出部２６７を設けることで、可動部２６０の大型化を招くことなく、可動部２６０の質量をより大きくすることができる。そのため、より感度を向上させ、感度の高い物理量検出素子２Ｘとなる。
【００６８】
また、バネ部２７０、２７４は、弾性変形可能であり、バネ部２７０、２７４が弾性変形することで、可動部２６０が可動部支持部２５０に対してＸ軸方向に変位することができる。図２に示すように、バネ部２７０は、可動部２６０のＸ軸方向プラス側の端部と可動部支持部２５０のＸ軸方向プラス側の端部とを連結し、バネ部２７４は、可動部２６０のＸ軸方向マイナス側の端部と可動部支持部２５０のＸ軸方向マイナス側の端部とを連結している。これにより、可動部２６０をＸ軸方向の両側で支持することができるため、可動部２６０の姿勢および挙動が安定する。そのため、不要な振動を低減させ、より高い精度で、Ｘ軸加速度を検出することができる。
【００６９】
また、バネ部２７０は、Ｙ軸方向に並んで配置された一対のバネ片２７１、２７２を有している。また、一対のバネ片２７１、２７２は、それぞれ、Ｙ軸方向に蛇行した形状をなし、中心軸Ｌに対して対称的に形成されている。このようなバネ部２７０は、Ｙ軸方向に長く延在した部分２７０ｙと、Ｘ軸方向に短く延在した部分２７０ｘと、を有している。なお、バネ部２７４の構成は、バネ部２７０の構成と同様である。
【００７０】
このように、バネ部２７０、２７４を、検出軸であるＸ軸よりも、Ｘ軸に直交するＹ軸方向に長い形状とすることで、Ｘ軸加速度が加わった際の、可動部２６０のＸ軸方向（検出軸方向）以外への変位（特に、Ｚ軸まわりの回転変位）を抑制することができる。その
ため、不要な振動を低減させ、より高い精度でＸ軸加速度を検出することができる。ただし、バネ部２７０、２７４の構成としては、その機能を発揮することができる限り、特に限定されない。
【００７１】
また、図２に示すように、固定電極部２２０は、第１開口部２６８内に位置する第１固定電極部２２１と、第２開口部２６９に位置する第２固定電極部２３１と、を有している。第１固定電極部２２１および第２固定電極部２３１は、Ｙ軸方向に並んで配置されている。
【００７２】
第１固定電極部２２１は、基板２００に固定された第１幹部支持部２２４と、第１幹部支持部２２４に支持された第１幹部２２２と、第１幹部２２２からＹ軸方向両側に延出した複数の第１固定電極指２２３と、を有している。なお、第１幹部支持部２２４、第１幹部２２２および各第１固定電極指２２３は、一体形成されている。
【００７３】
第１幹部支持部２２４は、マウント部２０２と接合された接合部２２４ａを有している。なお、接合部２２４ａは、第１幹部支持部２２４のＸ軸方向マイナス側に偏って配置されている。
【００７４】
第１幹部２２２は、棒状の長手形状をなし、その一端が第１幹部支持部２２４に接続されており、これにより、第１幹部支持部２２４に支持されている。また、第１幹部２２２は、Ｚ軸方向から見た平面視で、Ｘ軸およびＹ軸のそれぞれに対して傾斜した方向に延在している。より具体的には、第１幹部２２２は、その先端側に向けて中心軸Ｌとの離間距離が大きくなるように傾斜している。このような配置とすることで、第１幹部支持部２２４を可動部支持部２５０の近くに配置し易くなる。
【００７５】
なお、Ｘ軸に対する第１幹部２２２の軸Ｌ２２２の傾きとしては、特に限定されないが、１０°以上、４５°以下であること好ましく、１０°以上、３０°以下であることがより好ましい。これにより、第１固定電極部２２１のＹ軸方向への広がりを抑制することができ、素子部２１０の小型化を図ることができる。
【００７６】
第１固定電極指２２３は、第１幹部２２２からＹ軸方向両側に延出している。すなわち、第１固定電極指２２３は、第１幹部２２２のＹ軸方向プラス側に位置する第１固定電極指２２３’と、Ｙ軸方向マイナス側に位置する第１固定電極指２２３”と、を有している。第１固定電極指２２３’、２２３”は、それぞれ、Ｘ軸方向に沿って互いに離間して複数設けられている。
【００７７】
複数の第１固定電極指２２３’の長さ（Ｙ軸方向の長さ）は、Ｘ軸方向プラス側に向けて漸減している。複数の第１固定電極指２２３’の先端は、それぞれ、Ｘ軸方向に沿う同一直線上に位置している。一方、複数の第１固定電極指２２３”の長さ（Ｙ軸方向の長さ）は、Ｘ軸方向プラス側に向けて漸増している。複数の第１固定電極指２２３”の先端は、それぞれ、Ｘ軸方向に沿う同一直線上に位置している。Ｙ軸方向に並ぶ第１固定電極指２２３’と第１固定電極指２２３”の総長さは、それぞれ、ほぼ同じである。
【００７８】
第２固定電極部２３１は、基板２００に固定された第２幹部支持部２３４と、第２幹部支持部２３４に支持された第２幹部２３２と、第２幹部２３２からＹ軸方向両側に延出した複数の第２固定電極指２３３と、を有している。なお、第２幹部支持部２３４、第２幹部２３２および各第２固定電極指２３３は、一体形成されている。
【００７９】
第２幹部支持部２３４は、マウント部２０３の上面と接合された接合部２３４ａを有している。なお、接合部２３４ａは、第２幹部支持部２３４のＸ軸方向マイナス側に偏って
配置されている。
【００８０】
第２幹部２３２は、棒状の長手形状をなし、その一端が第２幹部支持部２３４に接続されており、これにより、第２幹部支持部２３４に支持されている。また、第２幹部２３２は、Ｚ軸方向から見た平面視で、Ｘ軸およびＹ軸のそれぞれに対して傾斜した方向に延在している。より具体的には、第２幹部２３２は、その先端側に向けて中心軸Ｌとの離間距離が大きくなるように傾斜している。このような配置とすることで、第２幹部支持部２３４を可動部支持部２５０の近くに配置し易くなる。
【００８１】
なお、Ｘ軸に対する第２幹部２３２の軸Ｌ２３２の傾きとしては、特に限定されないが、１０°以上、４５°以下であること好ましく、１０°以上、３０°以下であることがより好ましい。これにより、第２固定電極部２３１のＹ軸方向への広がりを抑制することができ、素子部２１０の小型化を図ることができる。
【００８２】
第２固定電極指２３３は、第２幹部２３２からＹ軸方向両側に延出している。すなわち、第２固定電極指２３３は、第２幹部２３２のＹ軸方向プラス側に位置する第２固定電極指２３３’と、Ｙ軸方向マイナス側に位置する第２固定電極指２３３”と、を有している。第２固定電極指２３３’、２３３”は、それぞれ、Ｘ軸方向に沿って互いに離間して複数設けられている。
【００８３】
複数の第２固定電極指２３３’の長さ（Ｙ軸方向の長さ）は、Ｘ軸方向プラス側に向けて漸増している。複数の第２固定電極指２３３’の先端は、それぞれ、Ｘ軸方向に沿う同一直線上に位置している。一方、複数の第２固定電極指２３３”の長さ（Ｙ軸方向の長さ）は、Ｘ軸方向プラス側に向けて漸減している。複数の第２固定電極指２３３”の先端は、それぞれ、Ｘ軸方向に沿う同一直線上に位置している。Ｙ軸方向に並ぶ第２固定電極指２３３’と第２固定電極指２３３”の総長さは、それぞれ、ほぼ同じである。
【００８４】
このような第１固定電極部２２１および第２固定電極部２３１の形状および配置は、中心軸Ｌに対して線対称である（ただし、第１固定電極指２２３および第２固定電極指２３３がＸ軸方向にずれていることを除く）。特に、本実施形態では、第１幹部２２２および第２幹部２３２は、それぞれ、中心軸Ｌとの離間距離が先端側へ向けて漸増するようにＸ軸に対して傾斜した方向に延在している。このような配置とすることで、第１幹部支持部２２４の接合部２２４ａおよび第２幹部支持部２３４の接合部２３４ａを、可動部支持部２５０の接合部２５１のより近くに配置することができる。そのため、熱や残留応力等に起因して基板２００に反りや撓みが生じた際の可動部２６０と固定電極部２２０とのＺ軸方向のずれの差、具体的には、第１可動電極指２８２と第１固定電極指２２３とのＺ軸方向のずれの差、第２可動電極指２９２と第２固定電極指２３３とのＺ軸方向のずれの差をより効果的に抑制することができる。
【００８５】
特に、本実施形態では、第１幹部支持部２２４の接合部２２４ａ、第２幹部支持部２３４の接合部２３４ａおよび可動部支持部２５０の接合部２５１が、Ｙ軸方向に並んで配置されている。これにより、接合部２２４ａ、２３４ａを、接合部２５１のさらに近くに配置することができ、上述した効果がより顕著となる。
【００８６】
図２に示すように、可動電極部２８０は、第１開口部２６８内に位置する第１可動電極部２８１と、第２開口部２６９内に位置する第２可動電極部２９１と、を有している。第１可動電極部２８１および第２可動電極部２９１は、Ｙ軸方向に並んで配置されている。
【００８７】
第１可動電極部２８１は、第１幹部２２２のＹ軸方向両側に位置し、Ｙ軸方向に延在する複数の第１可動電極指２８２を有している。すなわち、第１可動電極指２８２は、第１
幹部２２２のＹ軸方向プラス側に位置する第１可動電極指２８２’と、Ｙ軸方向マイナス側に位置する第１可動電極指２８２”と、を有している。第１可動電極指２８２’、２８２”は、それぞれ、Ｘ軸方向に沿って互いに離間して複数設けられている。第１可動電極指２８２’は、枠部２６１からＹ軸方向マイナス側に向けて延出し、第１可動電極指２８２”は、第１Ｘ軸延在部２６３からＹ軸方向プラス側に向けて延出している。
【００８８】
各第１可動電極指２８２は、対応する第１固定電極指２２３に対してＸ軸方向プラス側に位置し、この第１固定電極指２２３とギャップを介して対向している。
【００８９】
複数の第１可動電極指２８２’の長さ（Ｙ軸方向の長さ）は、Ｘ軸方向プラス側に向けて漸減している。複数の第１可動電極指２８２’の先端は、それぞれ、第１幹部２２２の延在方向に沿う同一直線上に位置している。一方、複数の第１可動電極指２８２”の長さ（Ｙ軸方向の長さ）は、Ｘ軸方向プラス側に向けて漸増している。複数の第１可動電極指２８２”の先端は、それぞれ、第１幹部２２２の延在方向に沿う同一直線上に位置している。Ｙ軸方向に並ぶ第１可動電極指２８２’と第１可動電極指２８２”の総長さは、それぞれ、ほぼ同じである。
【００９０】
第２可動電極部２９１は、第２幹部２３２のＹ軸方向両側に位置し、Ｙ軸方向に延在する複数の第２可動電極指２９２を有している。すなわち、第２可動電極指２９２は、第２幹部２３２のＹ軸方向プラス側に位置する第２可動電極指２９２’と、Ｙ軸方向マイナス側に位置する第２可動電極指２９２”と、を有している。第２可動電極指２９２’、２９２”は、それぞれ、Ｘ軸方向に沿って互いに離間して複数設けられている。第２可動電極指２９２’は、第２Ｘ軸延在部２６５からＹ軸方向マイナス側に向けて延出し、第２可動電極指２９２”は、枠部２６１からＹ軸方向プラス側に向けて延出している。
【００９１】
各第２可動電極指２９２は、対応する第２固定電極指２３３に対してＸ軸方向マイナス側に位置し、この第２固定電極指２３３とギャップを介して対向している。
【００９２】
複数の第２可動電極指２９２’の長さ（Ｙ軸方向の長さ）は、Ｘ軸方向プラス側に向けて漸増している。複数の第２可動電極指２９２’の先端は、それぞれ、第２幹部２３２の延在方向に沿う同一直線上に位置している。一方、複数の第２可動電極指２９２”の長さ（Ｙ軸方向の長さ）は、Ｘ軸方向プラス側に向けて漸減している。複数の第２可動電極指２９２”の先端は、それぞれ、第２幹部２３２の延在方向に沿う同一直線上に位置している。Ｙ軸方向に並ぶ第２可動電極指２９２’と第２可動電極指２９２”の総長さは、それぞれ、ほぼ同じである。
【００９３】
このような第１可動電極部２８１および第２可動電極部２９１の形状および配置は、中心軸Ｌに対して線対称である（ただし、第１可動電極指２８２および第２可動電極指２９２がＸ軸方向にずれていることを除く）。
【００９４】
このような構成の物理量検出部にＸ軸加速度が加わると、そのＸ軸加速度の大きさに基づいて、可動部２６０がバネ部２７０、２７４を弾性変形させながらＸ軸方向に変位する。このような変位に伴って、第１可動電極指２８２と第１固定電極指２２３とのギャップおよび第２可動電極指２９２と第２固定電極指２３３とのギャップがそれぞれ変化し、この変位に伴って、第１可動電極指２８２と第１固定電極指２２３との間の静電容量および第２可動電極指２９２と第２固定電極指２３３との間の静電容量の大きさがそれぞれ変化する。そのため、これら静電容量の変化に基づいてＸ軸加速度を検出することができる。なお、第１固定電極部２２１と第１可動電極部２８１とによって第１容量形成部５Ｘ（図４参照）が構成され、第２固定電極部２３１と第２可動電極部２９１とによって第２容量形成部６Ｘ（図４参照）が構成される。
【００９５】
ここで、上述したように、各第１可動電極指２８２は、対応する第１固定電極指２２３に対してＸ軸方向プラス側に位置し、逆に、各第２可動電極指２９２は、対応する第２固定電極指２３３に対してＸ軸方向マイナス側に位置している。すなわち、各第１可動電極指２８２は、対をなす第１固定電極指２２３に対してＸ軸方向の一方側に位置し、各第２可動電極指２９２は、対をなす第２固定電極指２３３に対してＸ軸方向の他方側に位置している。そのため、Ｘ軸加速度が加わると、第１可動電極指２８２と第１固定電極指２２３とのギャップが縮まり、第２可動電極指２９２と第２固定電極指２３３とのギャップが広がるか、逆に、第１可動電極指２８２と第１固定電極指２２３とのギャップが広がり、第２可動電極指２９２と第２固定電極指２３３とのギャップが縮まる。よって、第１固定電極指２２３および第１可動電極指２８２の間から得られる第１検出信号と、第２固定電極指２３３および第２可動電極指２９２の間から得られる第２検出信号と、を差動演算することで、ノイズをキャンセルすることができ、より精度よく、Ｘ軸加速度を検出することができる。
【００９６】
［物理量検出回路の構成］
次に、物理量検出回路３の構成の一例について詳細に説明する。図４は、本実施形態における物理量検出回路３の構成を示す図である。図４に示すように、物理量検出素子２Ｘは、第１容量形成部５Ｘの一端及び第２容量形成部６Ｘの一端が、不図示の端子（図２の端子７Ｘ，８Ｘ）を介して物理量検出回路３の端子ＸＰ，ＸＮとそれぞれ電気的に接続され、第１容量形成部５Ｘと第２容量形成部６Ｘの共通端が、不図示の端子（図２の端子９Ｘ）を介して物理量検出回路３の端子ＣＯＭと電気的に接続されている。同様に、物理量検出素子２Ｙは、第１容量形成部５Ｙの一端及び第２容量形成部６Ｙの一端が、不図示の端子を介して物理量検出回路３の端子ＹＰ，ＹＮとそれぞれ電気的に接続され、第１容量形成部５Ｙと第２容量形成部６Ｙの共通端が、不図示の端子を介して物理量検出回路３の端子ＣＯＭと電気的に接続されている。同様に、物理量検出素子２Ｚは、第１容量形成部５Ｚの一端及び第２容量形成部６Ｚの一端が、不図示の端子を介して物理量検出回路３の端子ＺＰ，ＺＮとそれぞれ電気的に接続され、第１容量形成部５Ｚと第２容量形成部６Ｚの共通端が、不図示の端子を介して物理量検出回路３の端子ＣＯＭと電気的に接続されている。
【００９７】
図４に示すように、物理量検出回路３は、マルチプレクサー１０、スイッチ回路１１〜１８、Ｑ／Ｖアンプ（ＱＶＡ）２０、プログラマブルゲインアンプ（ＰＧＡ）３０、スイッチトキャパシターフィルター回路（ＳＣＦ）５０Ｘ，５０Ｙ，５０Ｚ、マルチプレクサー６０、Ａ／Ｄ変換回路（ＡＤＣ）７０、デジタルフィルター８０、発振回路９０、制御回路１００、駆動回路１１０、インターフェース回路１２０、記憶部１３０、異常判定回路１４０及び異常診断回路１５０を含んで構成されている。この物理量検出回路３は、例えば、１チップの集積回路（ＩＣ：Integrated Circuit）であってもよい。なお、本実施形態の物理量検出回路３は、これらの要素の一部を省略又は変更し、あるいは他の要素を追加した構成としてもよい。
【００９８】
発振回路９０は、クロック信号ＭＣＬＫを出力する。例えば、ＣＲ発振器やリングオシレーター等であってもよい。
【００９９】
制御回路１００は、クロック信号ＭＣＬＫに基づいて、各種のクロック信号（クロック信号ＤＲＶＣＬＫ＿Ｘ，ＤＲＶＣＬＫ＿Ｙ，ＤＲＶＣＬＫ＿Ｚ，ＳＣＦＣＬＫ＿Ｘ，ＳＣＦＣＬＫ＿Ｙ，ＳＣＦＣＬＫ＿Ｚ，ＳＭＰＣＬＫ）や各種の制御信号（制御信号ＥＮ＿ＯＵＴ＿Ｘ，ＥＮ＿ＯＵＴ＿Ｙ，ＥＮ＿ＯＵＴ＿Ｚ）を生成する。
【０１００】
駆動回路１１０は、クロック信号ＭＣＬＫ及び周波数（駆動周波数）ｆｄのクロック信
号ＤＲＶＣＬＫ＿Ｘ，ＤＲＶＣＬＫ＿Ｙ，ＤＲＶＣＬＫ＿Ｚに基づいて、物理量検出素子２Ｘ，２Ｙ，２Ｚを駆動する駆動信号ＤＲＶを生成し、駆動信号ＤＲＶを物理量検出回路３の端子ＣＯＭに出力する。この駆動信号ＤＲＶは、クロック信号ＤＲＶＣＬＫ＿Ｘ，ＤＲＶＣＬＫ＿Ｙ，ＤＲＶＣＬＫ＿Ｚと同じ周波数（駆動周波数ｆｄ）の信号であり、物理量検出回路３の端子ＣＯＭを介して物理量検出素子２Ｘ，２Ｙ，２Ｚに共通に印加される。
【０１０１】
なお、物理量検出素子２Ｘ，２Ｙ，２Ｚには、不図示のシールド用のグラウンドパターンが設けられており、各グラウンドパターンには、物理量検出回路３の端子ＳＬＤを介して、電源電圧ＶＳＳ（例えば０Ｖ）が供給される。
【０１０２】
マルチプレクサー１０は、互いに排他的にアクティブ（本実施形態では、ハイレベル）となるクロック信号ＤＲＶＣＬＫ＿Ｘ，ＤＲＶＣＬＫ＿Ｙ，ＤＲＶＣＬＫ＿Ｚに基づいて、端子ＸＰ，ＸＮから入力される差動信号対、端子ＹＰ，ＹＮから入力される差動信号対及び端子ＺＰ，ＺＮから入力される差動信号対のいずれかを選択して（又はいずれも選択しないで）差動信号対ＰＩＮ，ＮＩＮを出力する。具体的には、マルチプレクサー１０は、クロック信号ＤＲＶＣＬＫ＿Ｘがハイレベル（電源電圧ＶＤＤ）のときは、端子ＸＰ，ＸＮから入力される差動信号対を選択し、差動信号対ＰＩＮ，ＮＩＮとして出力する。また、マルチプレクサー１０は、クロック信号ＤＲＶＣＬＫ＿Ｙがハイレベルのときは、端子ＹＰ，ＹＮから入力される差動信号対を選択し、差動信号対ＰＩＮ，ＮＩＮとして出力する。また、マルチプレクサー１０は、クロック信号ＤＲＶＣＬＫ＿Ｚがハイレベルのときは、端子ＺＰ，ＺＮから入力される差動信号対を選択し、差動信号対ＰＩＮ，ＮＩＮとして出力する。また、マルチプレクサー１０は、クロック信号ＤＲＶＣＬＫ＿Ｘ，ＤＲＶＣＬＫ＿Ｙ，ＤＲＶＣＬＫ＿Ｚがいずれもローレベル（電源電圧ＶＳＳ（例えば０Ｖ））のときは、ともにゼロの差動信号対ＰＩＮ，ＮＩＮを出力する。
【０１０３】
図５に、本実施形態における駆動信号ＤＲＶ、クロック信号ＤＲＶＣＬＫ＿Ｘ，ＤＲＶＣＬＫ＿Ｙ，ＤＲＶＣＬＫ＿Ｚ及び差動信号対ＰＩＮ，ＮＩＮの波形の一例を示す。例えば、期間Ｔ１〜Ｔ４は、それぞれ、クロック信号ＭＣＬＫのＮ周期分（例えば１周期分）の期間である。期間Ｔ１，Ｔ２，Ｔ３では、それぞれ、駆動信号ＤＲＶの電圧は基準電圧ＶＣＯＭ（例えば、ＶＤＤ／２）⇒ＶＤＤ⇒ＶＳＳ（＝０Ｖ）⇒ＶＣＯＭの順に周期的に変化し、期間Ｔ４では、駆動信号ＤＲＶの電圧はＶＣＯＭである。
【０１０４】
期間Ｔ１〜Ｔ３では、駆動信号ＤＲＶにより物理量検出素子２Ｘ，２Ｙ，２Ｚが共通に駆動され、物理量検出素子２ＸからＸ軸加速度に応じた差動信号対が出力されて端子ＸＰ，ＸＮに入力され、物理量検出素子２ＹからＹ軸加速度に応じた差動信号対が出力されて端子ＹＰ，ＹＮに入力され、物理量検出素子２ＺからＺ軸加速度に応じた差動信号対が出力されて端子ＺＰ，ＺＮに入力される。そして、期間Ｔ１では、クロック信号ＤＲＶＣＬＫ＿Ｘがハイレベルであるため、物理量検出素子２Ｘから出力される差動信号対が差動信号対ＰＩＮ，ＮＩＮとして選択される。また、期間Ｔ２では、クロック信号ＤＲＶＣＬＫ＿Ｙがハイレベルであるため、物理量検出素子２Ｙから出力される差動信号対が差動信号対ＰＩＮ，ＮＩＮとして選択される。また、期間Ｔ３では、クロック信号ＤＲＶＣＬＫ＿Ｚがハイレベルであるため、物理量検出素子２Ｚから出力される差動信号対が差動信号対ＰＩＮ，ＮＩＮとして選択される。また、期間Ｔ４では、クロック信号ＤＲＶＣＬＫ＿Ｘ，ＤＲＶＣＬＫ＿Ｙ，ＤＲＶＣＬＫ＿Ｚがいずれもローレベルであるため、差動信号対ＰＩＮ，ＮＩＮは共にゼロとなる。
【０１０５】
図４の説明に戻り、Ｑ／Ｖアンプ２０は、マルチプレクサー１０から出力される電荷の差動信号対ＰＩＮ，ＮＩＮを電圧の差動信号対に変換して出力する。従って、Ｑ／Ｖアンプ２０は、期間Ｔ１では、物理量検出素子２Ｘから出力される差動信号対（差動の電荷）
（「検出信号」の一例）を差動の電圧信号に変換する。また、Ｑ／Ｖアンプ２０は、期間Ｔ２では、物理量検出素子２Ｙから出力される差動信号対（差動の電荷）（「検出信号」の一例）を差動の電圧信号に変換する。また、Ｑ／Ｖアンプ２０は、期間Ｔ３では、物理量検出素子２Ｚから出力される差動信号対（差動の電荷）（「検出信号」の一例）を差動の電圧信号に変換する。また、Ｑ／Ｖアンプ２０は、期間Ｔ４では、共にゼロの差動信号対を共に基準電圧ＶＣＯＭの差動の電圧信号に変換する。
【０１０６】
プログラマブルゲインアンプ３０は、Ｑ／Ｖアンプ２０から出力される差動信号対（差動の電圧信号）が入力され、当該差動信号を増幅した差動信号対ＰＯＰ，ＰＯＮを出力する。
【０１０７】
スイッチトキャパシターフィルター回路５０Ｘ，５０Ｙ，５０Ｚは、プログラマブルゲインアンプ３０から出力される差動信号対ＰＯＰ，ＰＯＮが共通に入力される。そして、スイッチトキャパシターフィルター回路５０Ｘは、クロック信号ＳＣＦＣＬＫ＿Ｘに基づいて、差動信号対ＰＯＰ，ＰＯＮに含まれる信号のうち、物理量検出素子２Ｘから出力された差動信号対が変換された電圧信号をサンプリングしてホールドするとともにフィルタリング処理を行い、差動信号対を出力する。また、スイッチトキャパシターフィルター回路５０Ｙは、クロック信号ＳＣＦＣＬＫ＿Ｙに基づいて、差動信号対ＰＯＰ，ＰＯＮに含まれる信号のうち、物理量検出素子２Ｙから出力された差動信号対が変換された電圧信号をサンプリングしてホールドするとともにフィルタリング処理を行い、差動信号対を出力する。また、スイッチトキャパシターフィルター回路５０Ｚは、クロック信号ＳＣＦＣＬＫ＿Ｚに基づいて、差動信号対ＰＯＰ，ＰＯＮに含まれる信号のうち、物理量検出素子２Ｘから出力された差動信号対が変換された電圧信号をサンプリングしてホールドするとともにフィルタリング処理を行い、差動信号対を出力する。スイッチトキャパシターフィルター回路５０Ｘ，５０Ｙ，５０Ｚは、同じ回路構成であってもよい。
【０１０８】
マルチプレクサー６０は、互いに排他的にアクティブ（本実施形態では、ハイレベル）となる制御信号ＥＮ＿ＯＵＴ＿Ｘ，ＥＮ＿ＯＵＴ＿Ｙ，ＥＮ＿ＯＵＴ＿Ｚに基づいて、スイッチトキャパシターフィルター回路５０Ｘが出力する差動信号対、スイッチトキャパシターフィルター回路５０Ｙが出力する差動信号対、スイッチトキャパシターフィルター回路５０Ｚが出力する差動信号対のいずれかを選択して出力する。具体的には、マルチプレクサー６０は、制御信号ＥＮ＿ＯＵＴ＿Ｘがハイレベルのときは、スイッチトキャパシターフィルター回路５０Ｘが出力する差動信号対を選択して出力する。また、マルチプレクサー６０は、制御信号ＥＮ＿ＯＵＴ＿Ｙがハイレベルのときは、スイッチトキャパシターフィルター回路５０Ｙが出力する差動信号対を選択して出力する。また、マルチプレクサー６０は、制御信号ＥＮ＿ＯＵＴ＿Ｚがハイレベルのときは、スイッチトキャパシターフィルター回路５０Ｚが出力する差動信号対を選択して出力する。
【０１０９】
Ａ／Ｄ変換回路７０は、クロック信号ＳＭＰＣＬＫに基づいて、マルチプレクサー６０が出力する差動信号対をサンプリングし、当該差動信号対の電位差をデジタル信号に変換する。クロック信号ＳＭＰＣＬＫは、制御信号ＥＮ＿ＯＵＴ＿Ｘ，ＥＮ＿ＯＵＴ＿Ｙ，ＥＮ＿ＯＵＴ＿Ｚがそれぞれハイレベルの期間に１つずつハイパルスを含むクロック信号である。そして、Ａ／Ｄ変換回路７０は、制御信号ＥＮ＿ＯＵＴ＿Ｘがハイレベルの期間のクロック信号ＳＭＰＣＬＫの立ち上がりで、マルチプレクサー６０から出力される差動信号対（スイッチトキャパシターフィルター回路５０Ｘが出力する差動信号対）をサンプリングしてデジタル信号に変換する。また、Ａ／Ｄ変換回路７０は、制御信号ＥＮ＿ＯＵＴ＿Ｙがハイレベルの期間のクロック信号ＳＭＰＣＬＫの立ち上がりで、マルチプレクサー６０から出力される差動信号対（スイッチトキャパシターフィルター回路５０Ｙが出力する差動信号対）をサンプリングしてデジタル信号に変換する。また、Ａ／Ｄ変換回路７０は、制御信号ＥＮ＿ＯＵＴ＿Ｚがハイレベルの期間のクロック信号ＳＭＰＣＬＫの立ち上
がりで、マルチプレクサー６０から出力される差動信号対（スイッチトキャパシターフィルター回路５０Ｚが出力する差動信号対）をサンプリングしてデジタル信号に変換する。
【０１１０】
このように、Ａ／Ｄ変換回路７０は、期間Ｔ１〜Ｔ４において、マルチプレクサー６０から出力される差動信号対を３回サンプリングして時分割にＡ／Ｄ変換する。
【０１１１】
なお、サンプリング定理に基づき、スイッチトキャパシターフィルター回路５０Ｘ，５０Ｙ，５０Ｚの出力信号において、サンプリング周波数ｆｓ（Ａ／Ｄ変換回路７０がスイッチトキャパシターフィルター回路５０Ｘ，５０Ｙ，５０Ｚの出力信号をそれぞれサンプリングする周波数）の１／２よりも高い信号成分は、Ａ／Ｄ変換回路７０におけるサンプリングにより、ＤＣ近傍の周波数帯に折り返されてノイズ成分となる。そのため、スイッチトキャパシターフィルター回路５０Ｘ，５０Ｙ，５０Ｚは、Ａ／Ｄ変換回路７０のサンプリングにより生ずるノイズ成分を低減させるためのアンチエイリアスフィルターとしても機能するように、そのカットオフ周波数はサンプリング周波数ｆｓの１／２以下に設定される。
【０１１２】
デジタルフィルター８０は、クロック信号ＭＣＬＫに基づいて、Ａ／Ｄ変換回路７０から出力されるデジタル信号に対してフィルタリング処理を行う。Ａ／Ｄ変換回路７０から出力されるデジタル信号には、Ａ／Ｄ変換回路７０のＡ／Ｄ変換処理により発生した高周波ノイズが重畳されているため、デジタルフィルター８０は、この高周波ノイズを低減させるローパスフィルターとして機能する。このデジタルフィルター８０から出力されるデジタル信号には、Ｘ軸加速度の大きさ及び向きに応じたデジタル値を有するＸ軸加速度信号（「物理量信号」の一例）、Ｙ軸加速度の大きさ及び向きに応じたデジタル値を有するＹ軸加速度信号（「物理量信号」の一例）及びＺ軸加速度の大きさ及び向きに応じたデジタル値を有するＺ軸加速度信号（「物理量信号」の一例）が時分割に含まれている。従って、Ｑ／Ｖアンプ２０、プログラマブルゲインアンプ３０、スイッチトキャパシターフィルター回路５０Ｘ，５０Ｙ，５０Ｚ、マルチプレクサー６０、Ａ／Ｄ変換回路７０及びデジタルフィルター８０からなる回路は、互いに異なる３軸であるＸ軸、軸及びＺ軸に対する加速度を検出する物理量検出素子２Ｘ，２Ｙ，２Ｚから出力される３軸の差動信号対に基づいて、Ｘ軸、Ｙ軸及びＺ軸に対して検出された加速度の大きさに応じた３軸加速度信号（Ｘ軸加速度信号、Ｙ軸加速度信号及びＺ軸加速度信号）を生成する３軸加速度信号生成回路（「物理量信号生成回路」の一例）として機能する。
【０１１３】
異常判定回路１４０は、３軸加速度信号（Ｘ軸加速度信号、Ｙ軸加速度信号及びＺ軸加速度信号）の値（デジタル値）と当該デジタル値の変化量とに基づいて、物理量検出素子２Ｘ，２Ｙ，２Ｚが異常である可能性があるか否かを判定し、判定結果を示す判定信号ＷＤを異常診断回路１５０に出力する。例えば、それぞれｎビットのＸ軸加速度信号、Ｙ軸加速度信号及びＺ軸加速度信号は、−２ｎ−１〜＋２ｎ−１−１の範囲のデジタル値をとり得る。本実施形態では、異常判定回路１４０は、物理量検出素子２Ｘ，２Ｙ，２Ｚのそれぞれについて、異常である可能性があるか否かを判定する。そして、異常判定回路１４０は、物理量検出素子２Ｘ，２Ｙ，２Ｚの少なくとも１つが異常である可能性があると判定した場合、判定信号ＷＤをアクティブ（本実施形態ではハイレベル）にするとともに、記憶部１３０（レジスター１３１）に記憶されている異常検知フラグを「１」に更新する。また、異常判定回路１４０は、物理量検出素子２Ｘ，２Ｙ，２Ｚが正常であると判定した場合は、判定信号ＷＤを非アクティブ（本実施形態ではローレベル）に維持するとともに、異常検知フラグを更新しない（現在の値「０」又は「１」を維持する）。さらに、異常判定回路１４０は、物理量検出素子２Ｘが異常である可能性があると判定した場合は記憶部１３０（レジスター１３１）に記憶されているＸ軸異常検知フラグを「１」に更新する。同様に、異常判定回路１４０は、物理量検出素子２Ｙが異常である可能性があると判定した場合は記憶部１３０（レジスター１３１）に記憶されているＹ軸異常検知フラグを
「１」に更新する。同様に、異常判定回路１４０は、物理量検出素子２Ｚが異常である可能性があると判定した場合は記憶部１３０（レジスター１３１）に記憶されているＺ軸異常検知フラグを「１」に更新する。また、異常判定回路１４０は、物理量検出素子２Ｘが正常であると判定した場合は、Ｘ軸異常検知フラグを更新しない（現在の値「０」又は「１」を維持する）。同様に、異常判定回路１４０は、物理量検出素子２Ｙが正常であると判定した場合は、Ｙ軸異常検知フラグを更新しない（現在の値「０」又は「１」を維持する）。同様に、異常判定回路１４０は、物理量検出素子２Ｚが正常であると判定した場合は、Ｚ軸異常検知フラグを更新しない（現在の値「０」又は「１」を維持する）。
【０１１４】
異常診断回路１５０は、異常判定回路１４０により物理量検出素子２Ｘ，２Ｙ，２Ｚの少なくとも１つが異常である可能性があると判定された場合（判定信号ＷＤがアクティブとなった場合）に、物理量検出素子２Ｘ，２Ｙ，２Ｚの異常の有無を診断する。本実施形態では、異常診断回路１５０は、異常診断実施フラグを「１」に更新した後、物理量検出素子２Ｘ，２Ｙ，２Ｚのそれぞれが異常であるか否かを診断し、診断が終了すると、異常診断実施フラグを「０」に更新する。
【０１１５】
異常診断回路１５０は、物理量検出素子２Ｘ，２Ｙ，２Ｚに入力されるテスト信号ＴＳＴＰ，ＴＳＴＮを生成し、テスト信号ＴＳＴＰ，ＴＳＴＮに応答して物理量検出素子２Ｘ，２Ｙ，２Ｚからそれぞれ出力される信号に基づいて、物理量検出素子２Ｘ，２Ｙ，２Ｚの異常の有無を診断する。具体的には、異常診断回路１５０は、異常診断を行う間、テストモード信号ＴＥＳＴをアクティブ（本実施形態ではハイレベル）にし、所定のテスト信号ＴＳＴＰ，ＴＳＴＮを生成する。テスト信号ＴＳＴＰはスイッチ回路１７の一端に供給され、テスト信号ＴＳＴＮはスイッチ回路１８の一端に供給される。スイッチ回路１７，１８は、テストモード信号ＴＥＳＴがアクティブ（ハイレベル）のときに導通し、テストモード信号ＴＥＳＴが非アクティブ（ローレベル）のときに非導通となる。従って、異常診断中は、スイッチ回路１７，１８はともに導通し、テスト信号ＴＳＴＰはスイッチ回路１７を介してスイッチ回路１１，１２，１３の各一端に供給され、テスト信号ＴＳＴＮはスイッチ回路１８介してスイッチ回路１４，１５，１６の各一端に供給される。
【０１１６】
スイッチ回路１１，１４は、クロック信号ＤＲＶＣＬＫ＿Ｘがハイレベルのときに導通し、クロック信号ＤＲＶＣＬＫ＿Ｘがローレベルのときに非導通となる。従って、クロック信号ＤＲＶＣＬＫ＿Ｘがハイレベルのとき、テスト信号ＴＳＴＰ，ＴＳＴＮは、それぞれスイッチ回路１１，１４を伝搬して端子ＸＰ，ＸＮから出力されて物理量検出素子２Ｘの第１容量形成部５Ｘの一端及び第２容量形成部６Ｘの一端にそれぞれ供給される。そして、テスト信号ＴＳＴＰ，ＴＳＴＮに応答して物理量検出素子２Ｘから出力される差動信号対（差動の電流）がマルチプレクサー１０によって選択され、異常診断回路１５０は、デジタルフィルター８０から出力されるデジタル信号に基づいて、物理量検出素子２Ｘの異常の有無を診断する。
【０１１７】
また、スイッチ回路１２，１５は、クロック信号ＤＲＶＣＬＫ＿Ｙがハイレベルのときに導通し、クロック信号ＤＲＶＣＬＫ＿Ｙがローレベルのときに非導通となる。従って、クロック信号ＤＲＶＣＬＫ＿Ｙがハイレベルのとき、テスト信号ＴＳＴＰ，ＴＳＴＮは、それぞれスイッチ回路１２，１５を伝搬して端子ＹＰ，ＹＮから出力されて物理量検出素子２Ｙの第１容量形成部５Ｙの一端及び第２容量形成部６Ｙの一端にそれぞれ供給される。そして、テスト信号ＴＳＴＰ，ＴＳＴＮに応答して物理量検出素子２Ｙから出力される差動信号対（差動の電流）がマルチプレクサー１０によって選択され、異常診断回路１５０は、デジタルフィルター８０から出力されるデジタル信号に基づいて、物理量検出素子２Ｙの異常の有無を診断する。
【０１１８】
また、スイッチ回路１３，１６は、クロック信号ＤＲＶＣＬＫ＿Ｚがハイレベルのとき
に導通し、クロック信号ＤＲＶＣＬＫ＿Ｚがローレベルのときに非導通となる。従って、クロック信号ＤＲＶＣＬＫ＿Ｚがハイレベルのとき、テスト信号ＴＳＴＰ，ＴＳＴＮは、それぞれスイッチ回路１３，１６を伝搬して端子ＺＰ，ＺＮから出力されて物理量検出素子２Ｚの第１容量形成部５Ｚの一端及び第２容量形成部６Ｚの一端にそれぞれ供給される。そして、テスト信号ＴＳＴＰ，ＴＳＴＮに応答して物理量検出素子２Ｚから出力される差動信号対（差動の電流）がマルチプレクサー１０によって選択され、異常診断回路１５０は、デジタルフィルター８０から出力されるデジタル信号に基づいて、物理量検出素子２Ｚの異常の有無を診断する。
【０１１９】
なお、異常診断回路１５０は、判定信号ＷＤがアクティブになる毎に、物理量検出素子２Ｘ，２Ｙ，２Ｚに対する異常の有無の診断をそれぞれ複数回連続して行い、物理量検出素子２Ｘ，２Ｙ，２Ｚの各々に対して、すべて正常である場合のみ正常であると判断し、１回でも異常である場合は異常であると診断してもよい。
【０１２０】
そして、異常診断回路１５０は、物理量検出素子２Ｘ，２Ｙ，２Ｚの少なくとも１つが異常であると診断した場合、異常検知フラグを「１」に更新する。また、異常診断回路１５０は、物理量検出素子２Ｘ，２Ｙ，２Ｚが正常であると診断した場合は、異常検知フラグを「０」に更新する。さらに、異常診断回路１５０は、物理量検出素子２Ｘが異常であると診断した場合はＸ軸異常検知フラグを「１」に更新する。同様に、異常診断回路１５０は、物理量検出素子２Ｙが異常であると診断した場合はＹ軸異常検知フラグを「１」に更新する。同様に、異常診断回路１５０は、物理量検出素子２Ｚが異常であると診断した場合はＺ軸異常検知フラグを「１」に更新する。また、異常診断回路１５０は、物理量検出素子２Ｘが正常であると診断した場合は、Ｘ軸異常検知フラグを「０」に更新する。同様に、異常診断回路１５０は、物理量検出素子２Ｙが正常であると診断した場合は、Ｙ軸異常検知フラグを「０」に更新する。同様に、異常診断回路１５０は、物理量検出素子２Ｚが正常であると診断した場合は、Ｚ軸異常検知フラグを「０」に更新する。
【０１２１】
なお、異常判定回路１４０による異常判定方法及び異常診断回路１５０による異常診断方法の詳細については後述する。
【０１２２】
記憶部１３０は、レジスター１３１及び不揮発性メモリー１３２を有している。不揮発性メモリー１３２には、物理量検出回路３に含まれる各回路に対する各種のデータ（例えば、プログラマブルゲインアンプ３０の利得調整データ、デジタルフィルター８０のフィルター係数）等の各種の情報が記憶されている。不揮発性メモリー１３２は、例えば、ＭＯＮＯＳ（Metal Oxide Nitride Oxide Silicon）型メモリーやＥＥＰＲＯＭ（Electrically Erasable Programmable Read-Only Memory）として構成することができる。物理量検出回路３の電源投入時（電源電圧が０ＶからＶＤＤまで立ち上がる時）に、不揮発性メモリー１３２に記憶されている各種のデータがレジスター１３１に転送されて保持され、レジスター１３１に保持された各種のデータが各回路に供給される。
【０１２３】
また、レジスター１３１には、デジタルフィルター８０から出力される３軸加速度信号が、それぞれｎビットの３軸分の加速度データとして記憶される。また、レジスター１３１には、異常検知フラグ、Ｘ軸異常検知フラグ、Ｙ軸異常検知フラグ、Ｚ軸異常検知フラグ及び異常診断実施フラグを含むフラグ情報が記憶される。
【０１２４】
インターフェース回路１２０は、物理量検出装置１の外部装置と通信するための回路である。当該外部装置は、インターフェース回路１２０を介して、記憶部１３０に対するデータの書き込みや読み出しを行うことができる。インターフェース回路１２０は、例えば、３端子や４端子のＳＰＩ（Serial Peripheral Interface）インターフェース回路であってもよいし、２端子のＩ２Ｃ（Inter-Integrated Circuit）インターフェース回路であ
ってもよい。例えば、外部装置は、記憶部１３０（レジスター１３１）に記憶されている３軸分の加速度データとフラグ情報とを読み出し、異常検知フラグが「０」であれば（物理量検出素子２Ｘ，２Ｙ，２Ｚのすべてが正常であれば）、３軸分の加速度データを使用して各種の処理を行うことができる。また、外部装置は、異常検知フラグが「１」であれば（物理量検出素子２Ｘ，２Ｙ，２Ｚのうちの少なくとも１つが異常であるか異常の可能性があれば）、異常があり得ることを示す情報を出力してもよい。さらに、外部装置は、Ｘ軸異常検知フラグ、Ｙ軸異常検知フラグ及びＺ軸異常検知フラグの各値から物理量検出素子２Ｘ，２Ｙ，２Ｚのいずれが異常であり得るかを認識し、以降は、異常であり得る軸の加速度データを使用せず、正常である軸の加速度データを使用して可能な処理を行ってもよい。また、外部装置は、異常診断実施フラグの値から物理量検出装置１（物理量検出回路３）が物理量検出素子２Ｘ，２Ｙ，２Ｚの異常診断を実施中であるか否かを認識し、実施中であれば異常診断が終了するのを待って、物理量検出素子２Ｘ，２Ｙ，２Ｚの各々について正常か異常かを判断してもよい。なお、外部装置は、用途に応じて、フラグ情報を読み出す毎に、各フラグを「０」にクリアしてもよいし、クリアしなくてもよい。
【０１２５】
［異常判定方法及び異常診断方法］
次に、異常判定回路１４０による異常判定方法及び異常診断回路１５０による異常診断方法の詳細について説明する。
【０１２６】
本実施形態では、異常判定回路１４０は、デジタルフィルター８０から出力されるＸ軸加速度信号の値の絶対値が所定の第１閾値ＬＶ１以上であること及びＸ軸加速度信号の値の変化量の絶対値が所定の第２閾値ＬＶ２以上であることの少なくとも一方である場合、物理量検出素子２Ｘが異常である可能性があると判定する。同様に、異常判定回路１４０は、デジタルフィルター８０から出力されるＹ軸加速度信号の値の絶対値が第１閾値ＬＶ１以上であること及びＹ軸加速度信号の値の変化量の絶対値が第２閾値ＬＶ２以上であることの少なくとも一方である場合、物理量検出素子２Ｙが異常である可能性があると判定する。同様に、異常判定回路１４０は、デジタルフィルター８０から出力されるＺ軸加速度信号の値の絶対値が第１閾値ＬＶ１以上であること及びＺ軸加速度信号の値の変化量の絶対値が第２閾値ＬＶ２以上であることの少なくとも一方である場合、物理量検出素子２Ｚが異常である可能性があると判定する。ここで、Ｘ軸加速度信号の値の変化量とは、例えば、Ｘ軸加速度信号の時間的に連続する２つの値の差であってもよい。Ｙ軸加速度信号の値の変化量及びＺ軸加速度信号の値の変化量についても同様である。
【０１２７】
ここで、例えば、仕様上の検出可能なＸ軸加速度の範囲が−８Ｇ〜＋８Ｇの範囲であり、正常な物理量検出素子２Ｘに−８Ｇ〜＋８Ｇの範囲のＸ軸加速度が加わった場合、１３ビットのＸ軸加速度信号の値は−３０００〜＋３０００の範囲になるとすると、Ｘ軸加速度信号の値の絶対値は最大３０００になる。これに対して、物理量検出素子２Ｘにおいて、可動電極（図２の可動部２６０）が第１固定電極（図２の第１固定電極部２２１）又は第２固定電極（図２の第２固定電極部２３１）に貼り付く異常が発生した場合、第１容量形成部５Ｘ又は第２容量形成部６Ｘの静電容量値が非常に大きくなり、その結果、Ｘ軸加速度信号の値の絶対値は、とり得る値の最大値又はこれに近い値になる。例えば、１３ビットのＸ軸加速度信号の値は−４０９６〜＋４０９５の範囲となるため、Ｘ軸加速度信号の値の絶対値は、０〜４０９６の範囲の値をとり得るので、４０９５、４０９６又はこれらに近い値となる。すなわち、物理量検出素子２Ｘに可動電極（可動部２６０）の貼り付きが発生した場合に生成されるＸ軸加速度信号の値の絶対値は、仕様上の検出可能な範囲で最大の加速度が加わったときに生成されるＸ軸加速度信号の値の絶対値よりも大きくなる。物理量検出素子２Ｙ，２Ｚについても同様である。
【０１２８】
そこで、物理量検出素子２Ｘ，２Ｙ，２Ｚの少なくとも１つにおいて可動電極（可動部）が貼り付く異常が発生したことを検出するために、例えば、第１閾値ＬＶ１は、物理量
検出素子２Ｘ，２Ｙ，２Ｚに、検出可能な範囲で最大の加速度が加わったときに生成されるＸ軸加速度信号、Ｙ軸加速度信号及びＺ軸加速度信号の各値の絶対値以上であってもよい。例えば、上記の例では、Ｘ軸、Ｙ軸及びＺ軸の各々に対して最大の加速度である＋８Ｇ又は−８Ｇが加わったときのＸ軸加速度信号、Ｙ軸加速度信号及びＺ軸加速度信号の各々の値の絶対値は３０００であるので、第１閾値ＬＶ１は３０００以上に設定されてもよい。なお、第１閾値ＬＶ１の上限値は、Ｘ軸加速度信号、Ｙ軸加速度信号及びＺ軸加速度信号の各値の絶対値がとり得る最大値（上記の例では４０９６）以下の所定の値に適宜設定される。
【０１２９】
また、物理量検出素子２Ｘ，２Ｙ，２Ｚに、最大の加速度に近い加速度、例えば、最大加速度の９０％以上の加速度が加わることはほとんどなく、あっても瞬時的であると考えられる場合は、第１閾値ＬＶ１は、物理量検出素子２Ｘ，２Ｙ，２Ｚに、検出可能な範囲で最大の加速度が加わったときに生成されるＸ軸加速度信号、Ｙ軸加速度信号及びＺ軸加速度信号の各値の絶対値の９０％以上であってもよい。
【０１３０】
一方、物理量検出素子２Ｘ，２Ｙ，２Ｚにそれぞれ異常が生じた場合、Ｘ軸加速度信号、Ｙ軸加速度信号及びＺ軸加速度信号の各値が、検出可能な範囲を超えることなく非常に大きく変化する（例えば、第１閾値ＬＶ１以上に変化する）可能性がある。そこで、第２閾値ＬＶ２は、第１閾値ＬＶ１以上であってもよい。
【０１３１】
そして、前述の通り、異常診断回路１５０は、異常判定回路１４０により物理量検出素子２Ｘ，２Ｙ，２Ｚの少なくとも１つが異常である可能性があると判定された場合（判定信号ＷＤがアクティブとなった場合）に、物理量検出素子２Ｘ，２Ｙ，２Ｚに入力されるテスト信号ＴＳＴＰ，ＴＳＴＮを生成し、テスト信号ＴＳＴＰ，ＴＳＴＮに応答して物理量検出素子２Ｘ，２Ｙ，２Ｚからそれぞれ出力される信号に基づいて、物理量検出素子２Ｘ，２Ｙ，２Ｚの異常の有無を診断する。ここで、物理量検出素子２Ｘ，２Ｙ，２Ｚに、テスト信号ＴＳＴＰ，ＴＳＴＮが供給されることにより、所定の大きさ及び向きの加速度が加わったのと同様の状態が作り出される。そして、異常診断回路１５０は、この状態においてデジタルフィルター８０から出力されるＸ軸加速度信号の値と当該所定の大きさ及び向きの加速度に対応する値（期待値）との差が所定の範囲内にあれば、物理量検出素子２Ｘが正常であると診断し、当該差が所定の範囲内になければ、物理量検出素子２Ｘが異常であると診断する。同様に、異常診断回路１５０は、この状態においてデジタルフィルター８０から出力されるＹ軸加速度信号の値と期待値との差が所定の範囲内にあれば、物理量検出素子２Ｙが正常であると診断し、当該差が所定の範囲内になければ、物理量検出素子２Ｙが異常であると診断する。同様に、異常診断回路１５０は、この状態においてデジタルフィルター８０から出力されるＺ軸加速度信号の値と期待値との差が所定の範囲内にあれば、物理量検出素子２Ｚが正常であると診断し、当該差が所定の範囲内になければ、物理量検出素子２Ｚが異常であると診断する。
【０１３２】
図６は、本実施形態における異常判定方法及び異常診断方法のフローチャート図である。図６に示すように、物理量検出回路３は、電源が投入されると（ステップＳ１０のＹ）、物理量検出素子２Ｘ，２Ｙ，２Ｚから出力される検出信号に基づいて、３軸加速度信号（Ｘ軸加速度信号、Ｙ軸加速度信号及びＺ軸加速度信号）を生成する（ステップＳ２０）。
【０１３３】
次に、物理量検出回路３は、３軸加速度信号に基づいて、物理量検出素子２Ｘ，２Ｙ，２Ｚが異常である可能性があるか否かを判定する（ステップＳ３０）。具体的には、前述の通り、物理量検出回路３は、Ｘ軸加速度信号の値の絶対値が第１閾値ＬＶ１以上であること及びＸ軸加速度信号の値の変化量の絶対値が第２閾値ＬＶ２以上であることの少なくとも一方である場合、物理量検出素子２Ｘが異常である可能性があると判定する。物理量
検出回路３は、物理量検出素子２Ｙ，２Ｚについても、物理量検出素子２Ｘと同様の条件が満たされた場合、異常である可能性があると判定する。そして、物理量検出回路３は、判定結果に基づいて、異常検知フラグ、Ｘ軸異常検知フラグ、Ｙ軸異常検知フラグ及びＺ軸異常検知フラグを、それぞれ「１」に更新し、又は「０」に維持する。外部装置は、３軸分の加速度データを読み出す際に、フラグ情報も読み出すことで、物理量検出素子２Ｘ，２Ｙ，２Ｚの各々が異常である可能性があるか否かを認識することができる。
【０１３４】
物理量検出回路３は、所定の判定時間Ｔが経過するまで（ステップＳ４０のＮ）、ステップＳ２０及びＳ３０の処理を繰り返す。そして、物理量検出回路３は、判定時間Ｔが経過すると（ステップＳ４０のＹ）、物理量検出素子２Ｘ，２Ｙ，２Ｚがいずれも正常である場合（異常検知フラグが「０」の場合）は（ステップＳ５０のＹ）、ステップＳ２０〜Ｓ４０の処理を再び行う。
【０１３５】
一方、物理量検出回路３は、物理量検出素子２Ｘ，２Ｙ，２Ｚの少なくとも１つが異常である可能性があると判定した場合は（ステップＳ５０のＮ）、異常診断実施フラグを「１」に設定する（ステップＳ６０）。外部装置は、３軸分の加速度データとともに読み出した異常診断実施フラグが「１」であることから、物理量検出素子２Ｘ，２Ｙ，２Ｚの異常診断の実施中であることを認識することができる。
【０１３６】
次に、物理量検出回路３は、物理量検出素子２Ｘ，２Ｙ，２Ｚの異常診断を行う（ステップＳ７０）。
【０１３７】
そして、物理量検出回路３は、異常診断を終了すると、異常診断実施フラグを「０」に設定し（ステップＳ８０）、診断結果に基づいて、異常検知フラグ、Ｘ軸異常検知フラグ、Ｙ軸異常検知フラグ及びＺ軸異常検知フラグをそれぞれ「０」又は「１」に設定し（ステップＳ９０）、ステップＳ３０以降の処理を再び行う。外部装置は、３軸分の加速度データとともに読み出した異常診断実施フラグが「０」であることから、物理量検出素子２Ｘ，２Ｙ，２Ｚの異常診断が終了したことを認識することができる。さらに、外部装置は、３軸分の加速度データとともに読み出した異常検知フラグ、Ｘ軸異常検知フラグ、Ｙ軸異常検知フラグ及びＺ軸異常検知フラグに基づいて、物理量検出素子２Ｘ，２Ｙ，２Ｚの各々が正常であるか異常であるかを認識することができる。
【０１３８】
図７は、物理量検出素子２Ｙ，２Ｚが正常であり、且つ、物理量検出素子２Ｘに異常が生じた場合に、異常診断に移行する前後のＸ軸加速度信号、判定信号ＷＤ及びテストモード信号ＴＥＳＴの波形の一例を示す図である。
【０１３９】
図７の例では、時刻ｔ１から時刻ｔ２までの判定時間Ｔ及び時刻ｔ２から時刻ｔ３までの判定時間Ｔにおいて、Ｘ軸加速度信号の値の絶対値は第１閾値ＬＶ１よりも小さく、且つ、Ｘ軸加速度信号の値の変化量（連続する２つの値の差）の絶対値は第２閾値ＬＶ２よりも小さい（不図示のＹ軸加速度信号及びＺ軸加速度信号についても同様である）ため、これらの判定時間Ｔの終了後に物理量検出素子２Ｘ，２Ｙ，２Ｚの異常診断は実施されない。これに対して、時刻ｔ３から時刻ｔ４までの判定時間Ｔでは、時刻ｔ３２及び時刻ｔ３３においてＸ軸加速度信号の値の絶対値は第１閾値ＬＶ１よりも大きくなり、時刻ｔ３１と時刻ｔ３２との間でのＸ軸加速度信号の値の変化量の絶対値は第２閾値ＬＶ２よりも大きくなっている。そのため、この判定時間Ｔが終了する時刻ｔ４において判定信号ＷＤがアクティブ（ハイレベル）となり、その後の時刻ｔ５においてテストモード信号ＴＥＳＴがアクティブ（ハイレベル）となって時刻ｔ５から時刻ｔ６までの期間において物理量検出素子２Ｘ，２Ｙ，２Ｚの異常診断が実施される。
【０１４０】
図８に、異常診断に移行する前後の駆動信号ＤＲＶ、クロック信号ＤＲＶＣＬＫ＿Ｘ，
ＤＲＶＣＬＫ＿Ｙ，ＤＲＶＣＬＫ＿Ｚ、テストモード信号ＴＥＳＴ及びテスト信号ＴＳＴＰ，ＴＳＴＮの波形の一例を示す。図８の例では、テストモード信号ＴＥＳＴがアクティブ（ハイレベル）になると、期間Ｔ５〜Ｔ８において、テスト信号ＴＳＴＰの電圧は基準電圧ＶＣＯＭ（例えば、ＶＤＤ／２）になる。また、テスト信号ＴＳＴＮの電圧は、期間Ｔ５，Ｔ６，Ｔ７では、それぞれ、基準電圧ＶＣＯＭ（例えば、ＶＤＤ／２）⇒ＶＤＤ⇒ＶＳＳ（＝０Ｖ）⇒ＶＣＯＭの順に周期的に変化し、期間Ｔ８では、ＶＣＯＭになる。期間Ｔ５では、物理量検出素子２Ｘの第１固定電極及び第２固定電極にテスト信号ＴＳＴＰ，ＴＳＴＮがそれぞれ供給されて、所定の大きさ及び向きの加速度が加わったのと同様の状態となる。そして、物理量検出素子２Ｘの第１固定電極及び第２固定電極から出力される検出信号（電流）に基づいて、Ｘ軸加速度信号が生成され、その値が所定の期待値と比較されることにより、物理量検出素子２Ｘの異常の有無が診断される。同様に、期間Ｔ６では、物理量検出素子２Ｙの第１固定電極及び第２固定電極にテスト信号ＴＳＴＰ，ＴＳＴＮがそれぞれ供給されて、所定の大きさ及び向きの加速度が加わったのと同様の状態となる。そして、物理量検出素子２Ｙの第１固定電極及び第２固定電極から出力される検出信号（電流）に基づいて、Ｙ軸加速度信号が生成され、その値が所定の期待値と比較されることにより、物理量検出素子２Ｙの異常の有無が診断される。同様に、期間Ｔ７では、物理量検出素子２Ｚの第１固定電極及び第２固定電極にテスト信号ＴＳＴＰ，ＴＳＴＮがそれぞれ供給されて、所定の大きさ及び向きの加速度が加わったのと同様の状態となる。そして、物理量検出素子２Ｚの第１固定電極及び第２固定電極から出力される検出信号（電流）に基づいて、Ｚ軸加速度信号が生成され、その値が所定の期待値と比較されることにより、物理量検出素子２Ｚの異常の有無が診断される。この期間Ｔ５〜Ｔ８が複数回繰り返されることにより、物理量検出素子２Ｘ，２Ｙ，２Ｚのそれぞれに対して複数回の異常診断が行われてもよい。
【０１４１】
なお、第１閾値ＬＶ１及び第２閾値ＬＶ２は、記憶部１３０に記憶され、可変であってもよい。物理量検出素子２Ｘ，２Ｙ，２Ｚの少なくとも１つが異常である場合に確実に異常診断が実施され、且つ、物理量検出素子２Ｘ，２Ｙ，２Ｚのいずれも異常なしと診断される異常診断の回数を低減させるために、第１閾値ＬＶ１及び第２閾値ＬＶ２は、用途に応じて適切な値に設定されるのが好ましい。
【０１４２】
［作用効果］
以上に説明したように、本実施形態の物理量検出装置１（物理量検出回路３）では、正常な物理量検出素子２Ｘ，２Ｙ，２Ｚに加速度が加わった場合に生成されるＸ軸加速度信号、Ｙ軸加速度信号及びＺ軸加速度信号の値は、所望の範囲で比較的緩やかに変化する傾向があるのに対して、物理量検出素子２Ｘ，２Ｙ，２Ｚの少なくとも１つに可動電極（可動部）の貼り付き等の異常が生じた場合、Ｘ軸加速度信号、Ｙ軸加速度信号及びＺ軸加速度信号の少なくとも１つの値は非常に大きくなり、あるいは、急峻に変化しやすい。従って、本実施形態の物理量検出装置１（物理量検出回路３）によれば、Ｘ軸加速度信号、Ｙ軸加速度信号及びＺ軸加速度信号の各値と変化量とに基づいて、物理量検出素子２Ｘ，２Ｙ，２Ｚの各々が異常である可能性があるか否かを判定することができる。そして、本実施形態の物理量検出装置１（物理量検出回路３）によれば、物理量検出素子２Ｘ，２Ｙ，２Ｚの少なくとも１つが異常である可能性がある場合に、物理量検出素子２Ｘ，２Ｙ，２Ｚの異常の有無を診断することにより、静止していないときでも物理量検出素子の異常を診断することができる。
【０１４３】
具体的には、本実施形態の物理量検出装置１（物理量検出回路３）では、物理量検出素子２Ｘ，２Ｙ，２Ｚの各々に可動電極（可動部）の貼り付き等の異常が生じた場合、Ｘ軸加速度信号、Ｙ軸加速度信号及びＺ軸加速度信号の少なくとも１つの値は非常に大きくなやすい。従って、第１閾値ＬＶ１を適宜設定することにより、異常判定回路１４０は、Ｘ軸加速度信号、Ｙ軸加速度信号及びＺ軸加速度信号の各値の絶対値が第１閾値ＬＶ１以上
である場合に、物理量検出素子２Ｘ，２Ｙ，２Ｚの各々が異常である可能性があると判定することができる。また、物理量検出素子２Ｘ，２Ｙ，２Ｚの各々に異常が生じた場合、Ｘ軸加速度信号、Ｙ軸加速度信号及びＺ軸加速度信号の各値が急峻に変化しやすい。従って、第２閾値ＬＶ２を適宜設定することにより、異常判定回路１４０は、Ｘ軸加速度信号、Ｙ軸加速度信号及びＺ軸加速度信号の各値の変化量の絶対値が第２閾値ＬＶ２以上である場合に、物理量検出素子２Ｘ，２Ｙ，２Ｚの各々が異常である可能性があると判定することができる。従って、本実施形態の物理量検出装置１（物理量検出回路３）によれば、異常診断回路１５０が、物理量検出素子２Ｘ，２Ｙ，２Ｚの少なくとも１つが異常である可能性がある場合に、物理量検出素子２Ｘ，２Ｙ，２Ｚの異常の有無を診断することにより、静止していないときでも物理量検出素子２Ｘ，２Ｙ，２Ｚの異常を診断することができる。
【０１４４】
さらに、本実施形態の物理量検出装置１（物理量検出回路３）では、異常診断回路１５０は、Ｘ軸加速度信号、Ｙ軸加速度信号及びＺ軸加速度信号の少なくとも１つが異常である可能性があると判定された場合、テスト信号ＴＳＴＰ，ＴＳＴＮを生成し、物理量検出素子２Ｘ，２Ｙ，２Ｚの異常の有無を診断する。物理量検出素子２Ｘ，２Ｙ，２Ｚにテスト信号ＴＳＴＰ，ＴＳＴＮが供給されることにより、所定の大きさ及び向きの加速度が加わったのと同様の状態が作り出されるため、異常診断回路１５０は、物理量検出素子２Ｘ，２Ｙ，２Ｚからそれぞれ出力される信号に基づいて、物理量検出素子２Ｘ，２Ｙ，２Ｚの各々に対して異常の有無を診断することができる。
【０１４５】
［変形例］
上記の実施形態では、外部装置は、物理量検出装置１（物理量検出回路３）からフラグ情報を読み出すことにより、物理量検出素子２Ｘ，２Ｙ，２Ｚの異常診断が実施中であるか否かを認識し、また、物理量検出素子２Ｘ，２Ｙ，２Ｚの異常の有無を認識するが、物理量検出装置１（物理量検出回路３）に、物理量検出素子２Ｘ，２Ｙ，２Ｚの異常診断が実施中であるか否かを外部装置に通知するための端子や、物理量検出素子２Ｘ，２Ｙ，２Ｚの異常の有無を外部装置に通知するための端子が設けられていてもよい。また、物理量検出装置１（物理量検出回路３）が、外部装置から加速度データの読み出しコマンドを受け取ると、加速度データにフラグ情報を付加して外部装置に送信してもよい。
【０１４６】
また、上記の実施形態の物理量検出装置１は、物理量検出素子２Ｘ，２Ｙ，２Ｚの少なくとも１つが異常である可能性がある場合に、物理量検出素子２Ｘ，２Ｙ，２Ｚの異常の有無を診断しているが、物理量検出素子２Ｘ，２Ｙ，２Ｚのうち、異常である可能性があると判定されたものに対してのみ異常診断を行ってもよい。
【０１４７】
また、上記の実施形態の物理量検出装置１は、３軸分の物理量（加速度）を検出するが、１軸、２軸あるいは４軸以上の物理量（加速度）を検出してもよい。
【０１４８】
また、上記の実施形態では、物理量として加速度を検出する物理量検出装置１（物理量検出回路３）を例に挙げたが、本発明は、角速度、角加速度、圧力等の各種の物理量を検出する物理量検出装置（物理量検出回路）にも適用可能である。
【０１４９】
２．慣性計測装置（ＩＭＵ：Inertial Measurement Unit）
図９は、本実施形態の慣性計測装置の構成例を示す図である。図９に示されるように、本実施形態の慣性計測装置４００は、互いに交差（理想的には、直交）する３軸（ｘ軸、ｙ軸、ｚ軸）の角速度をそれぞれ検出する３つの角速度検出装置４１１〜４１３、互いに交差（理想的には、直交）する３軸（ｘ軸、ｙ軸、ｚ軸）の加速度をそれぞれ検出する３つの加速度検出装置４２１〜４２３、信号処理回路４３０、記憶部４４０及び通信回路４５０を含んで構成されている。なお、本実施形態の慣性計測装置４００は、図９に示され
る構成要素（各部）の一部を省略または変更してもよいし、他の構成要素を付加した構成としてもよい。
【０１５０】
角速度検出装置４１１は、ｘ軸回りに生じる角速度を検出し、検出したｘ軸角速度の大きさ及び向きに応じた角速度信号を出力する。角速度検出装置４１２は、ｙ軸回りに生じる角速度を検出し、検出したｙ軸角速度の大きさ及び向きに応じた角速度信号を出力する。角速度検出装置４１３は、ｚ軸回りに生じる角速度を検出し、検出したｚ軸角速度の大きさ及び向きに応じた角速度信号を出力する。
【０１５１】
加速度検出装置４２１は、ｘ軸回りに生じる加速度を検出し、検出したｘ軸加速度の大きさ及び向きに応じた加速度信号を出力する。加速度検出装置４２２は、ｙ軸回りに生じる加速度を検出し、検出したｙ軸加速度の大きさ及び向きに応じた加速度信号を出力する。加速度検出装置４２３は、ｚ軸回りに生じる加速度を検出し、検出したｚ軸加速度の大きさ及び向きに応じた加速度信号を出力する。
【０１５２】
なお、３つの角速度検出装置４１１〜４１３は、１つのパッケージに収容されて３軸角速度検出モジュールを構成してもよい。同様に、３つの加速度検出装置４２１〜４２３は、１つのパッケージに収容されて３軸加速度検出モジュールを構成してもよい。
【０１５３】
信号処理回路４３０は、角速度検出装置４１１〜４１３から出力された３軸角速度信号を取得し、加速度検出装置４２１〜４２３から出力された３軸加速度信号を取得し、取得した３軸角速度信号及び３軸加速度信号を処理する。例えば、信号処理回路４３０は、取得した３軸角速度信号及び３軸加速度信号を順次Ａ／Ｄ変換して３軸角速度データ及び３軸加速度データからなる慣性データを生成し、時刻情報を付して慣性データを記憶部４４０に記憶する処理を行う。また、信号処理回路４３０は、角速度検出装置４１１〜４１３及び加速度検出装置４２１〜４２３の各々の取り付け角誤差（各検出軸とｘ軸，ｙ軸，ｚ軸との誤差）に応じてあらかじめ算出された補正パラメーターを用いて、記憶部４４０に記憶した慣性データをｘｙｚ座標系のデータに変換（補正）し、記憶部４４０に記憶する処理を行う。また、信号処理回路４３０は、ｘｙｚ座標系のデータに変換して記憶部４４０に記憶した慣性データを時刻順に読み出し、時刻情報と慣性データとを含むパケットデータを生成し、通信回路４５０に出力する。
【０１５４】
また、信号処理回路４３０は、慣性データに対して、オフセット補正処理や温度補正処理を行ってもよいし、角速度検出装置４１１〜４１３及び加速度検出装置４２１〜４２３の各々の検出動作（例えば、検出周期等）を制御してもよい。
【０１５５】
通信回路４５０は、信号処理回路４３０の処理によって得られたパケットデータ（時刻情報付きの慣性データ）を受け取って、当該パケットデータをあらかじめ決められた通信フォーマットに合わせたシリアルデータに変換し、外部に送信する。
【０１５６】
なお、角速度検出装置４１１〜４１３が出力する３軸角速度信号及び加速度検出装置４２１〜４２３が出力する３軸加速度信号は、デジタル信号であってもよい。また、本実施形態の慣性計測装置４００は、３つの角速度検出装置４１１〜４１３と３つの加速度検出装置４２１〜４２３とを含むが、少なくとも１つの角速度検出装置を含めばよい。
【０１５７】
本実施形態の慣性計測装置４００において、加速度検出装置４２１〜４２３の少なくとも何れか又は角速度検出装置４１１〜４１３の少なくとも何れかとして、上記の各実施形態又は各変形例の物理量検出装置１が適用される。本実施形態の慣性計測装置４００によれば、加速度検出装置４２１〜４２３の少なくとも何れか又は角速度検出装置４１１〜４１３の少なくとも何れかとして、静止していないときでも物理量検出素子２Ｘ，２Ｙ，２
Ｚの異常を診断することが可能な物理量検出装置１が適用されるので、高い信頼性を達成することができる。
【０１５８】
３．移動体測位装置
図１０は、本実施形態の移動体測位装置の構成例を示す図である。図１０に示されるように、本実施形態の移動体測位装置５００は、センサーモジュール５１０、処理部５２０、操作部５３０、記憶部５４０、表示部５５０、音出力部５６０及び通信部５７０を含んで構成されており、各種の移動体に搭載される。なお、本実施形態の移動体測位装置５００は、図１０に示される構成要素（各部）の一部を省略または変更してもよいし、他の構成要素を付加した構成としてもよい。
【０１５９】
センサーモジュール５１０は、慣性計測装置５１１と衛星信号受信部５１２とを含む。
【０１６０】
慣性計測装置５１１は、３軸（ｘ軸、ｙ軸、ｚ軸）回りに生じる角速度をそれぞれ検出する不図示の３つの角速度検出装置と、３軸（ｘ軸、ｙ軸、ｚ軸）回りに生じる加速度をそれぞれ検出不図示の３つの加速度検出装置と、を含む。そして、センサーモジュール５１０は、３つの角速度検出装置によって検出された３軸角速度信号及び３つの加速度検出装置によって検出された３軸加速度信号に対して、所定の処理（Ａ／Ｄ変換処理、取り付け角誤差の補正処理等）を行う。さらに、センサーモジュール５１０は、所定の処理を行って得られた慣性データ（３軸角速度データ及び３軸加速度データ）を処理部５２０に出力する。慣性計測装置５１１として、上記の実施形態の慣性計測装置４００が適用される。
【０１６１】
衛星信号受信部５１２は、不図示のアンテナを介して、ＧＰＳ（Global Positioning System）衛星等の測位用衛星から、当該測位用衛星の軌道情報や時刻情報等を含む航法メッセージ（「測位用情報」の一例）が重畳された電波（衛星信号）を受信する。衛星信号受信部５１２は、例えば３つ以上の測位用衛星からそれぞれ送信された衛星信号を受信し、例えば公知の技術により、受信した各衛星信号に重畳されている航法メッセージを復調（取得）し、各航法メッセージを処理部５２０に出力する。なお、衛星信号受信部５１２は、ＧＰＳ以外の全地球航法衛星システム（ＧＮＳＳ：Global Navigation Satellite System）の測位用衛星やＧＮＳＳ以外の測位用衛星からの衛星信号を用いてもよいし、ＷＡＡＳ（Wide Area Augmentation System）、ＥＧＮＯＳ(European Geostationary-Satellite Navigation Overlay Service)、ＱＺＳＳ（Quasi Zenith Satellite System）、ＧＬＯＮＡＳＳ（GLObalNAvigation Satellite System）、ＧＡＬＩＬＥＯ、ＢｅｉＤｏｕ（BeiDou Navigation Satellite System）等の衛星測位システムのうち１つ、あるいは２つ以上のシステムの測位用衛星からの衛星信号を利用してもよい。
【０１６２】
図１０では、慣性計測装置５１１と衛星信号受信部５１２とは、センサーモジュール５１０に含まれているが、センサーモジュール５１０として一体化されていなくてもよい。すなわち、慣性計測装置５１１と衛星信号受信部５１２とは１つのパッケージに収容されていなくてもよい。
【０１６３】
操作部５３０は、操作キーやボタンスイッチ等により構成される入力装置であり、ユーザーによる操作に応じた操作信号を処理部５２０に出力する。
【０１６４】
記憶部５４０は、処理部５２０が各種の計算処理や制御処理を行うためのプログラムやデータ等を記憶するＲＯＭ（Read Only Memory）や、処理部５２０の作業領域として用いられ、ＲＯＭから読み出されたプログラムやデータ、操作部５３０から入力されたデータ、処理部５２０が各種プログラムにしたがって実行した演算結果等を一時的に記憶するＲＡＭ（Random Access Memory）を含む。
【０１６５】
表示部５５０は、液晶ディスプレイ（ＬＣＤ：Liquid Crystal Display）、有機ＥＬディスプレイ（ＯＥＬＤ：Organic Electro-Luminescence Display）、電気泳動ディスプレイ等により構成される表示装置であり、処理部５２０から入力される表示信号に基づいて各種の情報を表示する。
【０１６６】
音出力部５６０は、スピーカー等の音を出力する装置である。
【０１６７】
通信部５７０は、処理部５２０と外部装置との間のデータ通信を成立させるための各種制御を行う。
【０１６８】
処理部５２０は、記憶部５４０に記憶されているプログラムに従い、各種の計算処理や制御処理を行う。具体的には、処理部５２０は、慣性計測装置５１１から慣性データを取得し、衛星信号受信部５１２から航法メッセージを取得し、取得したこれらのデータや操作部５３０からの操作信号に応じた各種の処理、外部装置とデータ通信を行うために通信部５７０を制御する処理、表示部５５０に各種の情報を表示させるための表示信号を送信する処理、音出力部５６０に各種の音を出力させる処理等を行う。
【０１６９】
特に、本実施形態では、処理部５２０は、記憶部５４０に記憶されているプログラムを実行することにより、姿勢算出部５２１、位置算出部５２２及び位置補正部５２３の各部として機能する。
【０１７０】
姿勢算出部５２１は、慣性計測装置５１１から出力される慣性データに基づいて、例えば公知の手法により、移動体測位装置５００が搭載される移動体の姿勢を算出する。
【０１７１】
位置算出部５２２は、衛星信号受信部５１２から出力される航法メッセージに基づいて、移動体の位置を算出する。具体的には、位置算出部５２２は、衛星信号受信部５１２から出力される３つ以上の航法メッセージに含まれる衛星信号の発信時刻や受信時の電波伝搬遅れ等の情報を用いて、移動体測位装置５００が搭載される移動体と３つ以上の測位用衛星との各距離を算出する。そして、位置算出部５２２は、算出した距離から移動体の位置を算出する。
【０１７２】
位置補正部５２３は、姿勢算出部５２１が算出した移動体の姿勢に基づいて、位置算出部５２２が算出した移動体の位置を補正する。例えば、位置補正部５２３は、移動体の姿勢から移動体の水平面に対する傾斜角度を算出し、算出した傾斜角度に基づいて、移動体の水平面上の位置を移動体が移動する面における位置に補正してもよい。
【０１７３】
処理部５２０は、移動体の位置や姿勢等の情報を、表示部５５０に表示させ、あるいは音出力部５６０から出力させ、あるいは、通信部５７０を介して外部装置に送信する。
【０１７４】
なお、衛星信号受信部５１２が各衛星信号を受信して航法メッセージを復調し、位置算出部５２２が航法メッセージを用いて移動体と各測位用衛星との距離を算出して移動体の位置を算出しているが、衛星信号受信部５１２が、移動体と各測位用衛星との距離を算出してもよいし、移動体の位置を算出してもよい。すなわち、衛星信号受信部５１２が、位置算出部５２２が行う処理の少なくとも一部を行ってもよい。
【０１７５】
本実施形態の移動体測位装置５００によれば、慣性計測装置５１１として、高い計測精度を達成することが可能な慣性計測装置４００が適用されるので、例えば、移動体の位置や姿勢等をより高精度に測定することができる。
【０１７６】
４．電子機器
図１１は、本実施形態の電子機器の機能ブロック図の一例である。図１１に示されるように、本実施形態の電子機器６００は、物理量検出装置６１０、演算処理装置６２０、操作部６３０、ＲＯＭ６４０、ＲＡＭ６５０、通信部６６０、表示部６７０、音出力部６８０を含んで構成されている。なお、本実施形態の電子機器６００は、図１１に示される構成要素（各部）の一部を省略または変更してもよいし、他の構成要素を付加した構成としてもよい。
【０１７７】
物理量検出装置６１０は、１軸又は複数軸（２軸、３軸、あるいは４軸以上）に生じる物理量をそれぞれ検出し、物理量信号を演算処理装置６２０に出力する。物理量検出装置６１０として、上記の各実施形態又は各変形例の物理量検出装置１が適用される。
【０１７８】
演算処理装置６２０は、ＲＯＭ６４０等に記憶されているプログラムに従い、各種の計算処理や制御処理を行う。具体的には、演算処理装置６２０は、物理量検出装置６１０から出力された物理量信号に基づいて演算処理（例えば、各種の計算処理や制御処理など）を行う。また、演算処理装置６２０は、操作部６３０からの操作信号に応じた各種の処理、外部とデータ通信を行うために通信部６６０を制御する処理、表示部６７０に各種の情報を表示させるための表示信号を送信する処理、音出力部６８０に各種の音を出力させる処理等を行う。
【０１７９】
操作部６３０は、操作キーやボタンスイッチ等により構成される入力装置であり、ユーザーによる操作に応じた操作信号を演算処理装置６２０に出力する。
【０１８０】
ＲＯＭ６４０は、演算処理装置６２０が各種の計算処理や制御処理を行うためのプログラムやデータ等を記憶している。
【０１８１】
ＲＡＭ６５０は、演算処理装置６２０の作業領域として用いられ、ＲＯＭ６４０から読み出されたプログラムやデータ、操作部６３０から入力されたデータ、演算処理装置６２０が各種プログラムにしたがって実行した演算結果等を一時的に記憶する。
【０１８２】
通信部６６０は、演算処理装置６２０と外部装置との間のデータ通信を成立させるための各種制御を行う。
【０１８３】
表示部６７０は、液晶ディスプレイ（ＬＣＤ：Liquid Crystal Display）、有機ＥＬディスプレイ（ＯＥＬＤ：Organic Electro-Luminescence Display）、電気泳動ディスプレイ等により構成される表示装置であり、演算処理装置６２０から入力される表示信号に基づいて各種の情報を表示する。
【０１８４】
音出力部６８０は、スピーカー等の音を出力する装置である。
【０１８５】
本実施形態の電子機器６００によれば、物理量検出装置６１０として、静止していないときでも物理量検出素子２Ｘ，２Ｙ，２Ｚの異常を診断することが可能な物理量検出装置１が適用されるので、例えば、物理量の変化に基づく処理（例えば、姿勢に応じた制御など）の信頼性を高めることができる。
【０１８６】
電子機器６００としては種々の電子機器が考えられる。例えば、地震計、作業用ロボット、ヘルスモニタリング装置、無人運転装置、パーソナルコンピューター（例えば、モバイル型パーソナルコンピューター、ラップトップ型パーソナルコンピューター、タブレット型パーソナルコンピューター）、携帯電話機などの移動体端末、ディジタルカメラ、インクジェット式吐出装置（例えば、インクジェットプリンター）、ルーターやスイッチな
どのストレージエリアネットワーク機器、ローカルエリアネットワーク機器、移動体端末基地局用機器、テレビ、ビデオカメラ、ビデオレコーダー、カーナビゲーション装置、ページャー、電子手帳（通信機能付も含む）、電子辞書、電卓、電子ゲーム機器、ゲーム用コントローラー、ワードプロセッサー、ワークステーション、テレビ電話、防犯用テレビモニター、電子双眼鏡、ＰＯＳ（point of sale）端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター、ヘッドマウントディスプレイ、モーショントレース、モーショントラッキング、モーションコントローラー、ＰＤＲ（歩行者位置方位計測）等が挙げられる。
【０１８７】
図１２は、電子機器６００の一例であるスマートフォンの外観の一例を示す図であり、図１３は、電子機器６００の一例としての腕装着型の携帯機器の外観の一例を示す図である。図１２に示される電子機器６００であるスマートフォンは、操作部６３０としてボタンを、表示部６７０としてＬＣＤを備えている。図１３に示される電子機器６００である腕装着型の携帯機器は、操作部６３０としてボタンおよび竜頭を、表示部６７０としてＬＣＤを備えている。これらの電子機器６００は、物理量検出装置６１０として、静止していないときでも物理量検出素子２Ｘ，２Ｙ，２Ｚの異常を診断することが可能な物理量検出装置１が適用されるので、物理量の変化に基づく処理（例えば、姿勢に応じた表示制御など）の信頼性を高めることができる。
【０１８８】
更に、電子機器６００の一例として携帯型電子機器の１つである腕時計型の活動計（アクティブトラッカー）がある。腕時計型の活動計は、バンド等によって手首等の部位（被検体）に装着され、デジタル表示の表示部を備え無線通信が可能である。上述した本実施形態に係る物理量検出装置１は、腕時計型の活動計に組み込まれている。
【０１８９】
表示部６７０を構成する液晶ディスプレイ（ＬＣＤ）では、種々の検出モードに応じて、例えば、ＧＰＳや地磁気センサーを用いた位置情報、移動量や加速度センサーや角速度センサーなどを用いた運動量などの運動情報、脈波センサーなどを用いた脈拍数などの生体情報、もしくは現在時刻などの時刻情報などが表示される。
【０１９０】
図１４は、携帯型の電子機器６００の実施形態に係るリスト機器８００（腕時計型の活動計）の平面図である。リスト機器８００は、ランニングウォッチ、ランナーズウォッチ、デュアスロンやトライアスロン等マルチスポーツ対応のランナーズウォッチ、アウトドアウォッチ、及び衛星測位システム、例えば、ＧＰＳを搭載したＧＰＳウォッチ、等に広く適用できる。
【０１９１】
リスト機器８００は、ユーザー（装着者）の所与の部位（例えば、手首）に装着され、ユーザーの位置情報や運動情報などを検出することができる。リスト機器は、ユーザーに装着されて位置情報や運動情報などを検出する機器本体８１０と、機器本体８１０に取り付けられ機器本体８１０をユーザーに装着するための第１のバンド部８２１および第２のバンド部８２２と、を含む。なお、リスト機器８００には、ユーザーの位置情報や運動情報に加えて、例えば脈波情報などの生体情報を検出する機能や時刻情報などを取得する機能を設けることができる。
【０１９２】
機器本体８１０は、ユーザーへの装着側にケースとしてのボトムケース（不図示）が配置され、ユーザーへの装着側と反対側には、表側に開口する開口部を有するケースとしてのトップケース８３０が配置されている。ここで、ボトムケースとトップケース８３０とによって、ケースが構成される。機器本体８１０の表側（トップケース８３０）に位置する開口部の外側には、ベゼル８４０が設けられるとともに、このベゼル８４０の内側にベゼル８４０と並んで配置されて内部構造を保護する天板部分（外壁）としての風防板（例
えば、ガラス板）８５０が設けられている。風防板８５０は、透光性カバーとして機能し、トップケース８３０の開口部を塞ぐように配置されている。機器本体８１０の表側（トップケース８３０）の側面には、複数の操作部８７１（操作ボタン）が設けられている。なお、ベゼル８４０には、表側から視認可能な表示を設けることができる。
【０１９３】
また、機器本体８１０は、風防板８５０の直下に配置されている液晶ディスプレイ（ＬＣＤ）などで構成される表示部８７４と、風防板８５０の外縁部分と表示部８７４との間に配置されている吸湿部材８６０と、を有しており、表示部８７４及び吸湿部材８６０はケースに収容されている。なお、吸湿部材８６０には、表側から視認可能な表示を設けることができる。機器本体８１０は、風防板８５０を介して、表示部８７４の表示や吸湿部材８６０の表示をユーザーが閲覧可能な構成としてもよい。つまり本実施形態のリスト機器８００では、検出した位置情報や運動情報、或いは時刻情報等の種々の情報を表示部８７４に表示し、当該表示を機器本体８１０のトップ側からユーザーに提示するものであってもよい。また、ボトムケースの両側には、第１のバンド部８２１および第２のバンド部８２２との接続部である一対のバンド装着部（不図示）が設けられている。
【０１９４】
図１５は、リスト機器８００の機能ブロック図の一例である。図１５に示すように、リスト機器８００は、処理部８７０、ＧＰＳセンサー８８０、地磁気センサー８８１、圧力センサー８８２、加速度センサー８８３、角速度センサー８８４、脈拍センサー８８５、温度センサー８８６、操作部８７１、計時部８７２、記憶部８７３、表示部８７４、音出力部８７５、通信部８７６、バッテリー８７７などを含んで構成されており、これらの各部はケースに収容されている。但し、リスト機器８００の構成は、これらの構成要素の一部を削除又は変更し、あるいは他の構成要素を追加したものであってもよい。
【０１９５】
通信部８７６は、リスト機器８００と他の情報端末との間の通信を成立させるための各種制御を行う。通信部８７６は、例えば、Bluetooth（登録商標）（BTLE：Bluetooth Low
Energyを含む）、Ｗｉ−Ｆｉ（登録商標）（Wireless Fidelity）、Ｚｉｇｂｅｅ（登録商標）、ＮＦＣ（Near field communication）、ＡＮＴ＋（登録商標）等の近距離無線通信規格に対応した送受信機や通信部８７６はＵＳＢ（Universal Serial Bus）等の通信バス規格に対応したコネクターを含んで構成される。
【０１９６】
処理部８７０（プロセッサー）は、例えば、ＭＰＵ（Micro Processing Unit）、ＤＳＰ（Digital Signal Processor）、ＡＳＩＣ（Application Specific Integrated Circuit）等により構成される。処理部８７０は、記憶部８７３に格納されたプログラムと、操作部８７１から入力された信号とに基づき、各種の処理を実行する。処理部８７０による処理には、ＧＰＳセンサー８８０、地磁気センサー８８１、圧力センサー８８２、加速度センサー８８３、角速度センサー８８４、脈拍センサー８８５、温度センサー８８６、計時部８７２の各出力信号（出力データ）に対するデータ処理、表示部８７４に画像を表示させる表示処理、音出力部８７５に音を出力させる音出力処理、通信部８７６を介して情報端末と通信を行う通信処理、バッテリー８７７からの電力を各部へ供給する電力制御処理などが含まれる。
【０１９７】
処理部８７０は、高精度のＧＰＳ機能により計測開始からのユーザーが移動した合計距離を計測する。また、処理部８７０は、距離計測の結果から、ユーザーの現在の走行ペースを計測し表示する。また、処理部８７０は、ユーザーの走行開始から現在までの平均スピードを算出し表示する。また、処理部８７０は、ＧＰＳ機能により、標高を計測し表示する。また、処理部８７０は、ＧＰＳ電波が届かないトンネル内などでもユーザーの歩幅を計測し表示する。また、処理部８７０は、ユーザーの１分あたりの歩数（ピッチ）を計測し表示する。また、処理部８７０は、脈拍センサーによりユーザーの心拍数を計測し表示する。また、処理部８７０は、ユーザーの山間部でのトレーニングやトレイルランにお
いて、地面の勾配を計測し表示する。また、処理部８７０は、事前に設定した一定距離や一定時間を走った時に、自動でラップ計測（オートラップ）を行う。また、処理部８７０は、ユーザーの消費カロリーを表示する。また、処理部８７０は、ユーザーの運動開始からの歩数の合計を表示する。
【０１９８】
上記実施形態に係る物理量検出装置１を含む加速度センサー８８３は、互いに交差する（理想的には直交する）３軸方向の各々の加速度を検出し、検出した３軸加速度の大きさ及び向きに応じた信号（加速度信号）を出力する。あるいは、上記実施形態に係る物理量検出装置１を含む角速度センサー８８４は、互いに交差する（理想的には直交する）３軸方向の各々の角速度を検出し、検出した３軸角速度の大きさ及び向きに応じた信号（角速度信号）を出力する。
【０１９９】
なお、上述したリスト機器８００は、衛星測位システムとしてＧＰＳ（Global Positioning System）を利用しているが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObalNAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０２００】
５．移動体
図１６は、本実施形態の移動体の一例である自動車の構成を示す斜視図である。図１６に示すように、自動車１５００には物理量検出装置１が搭載されており、例えば、物理量検出装置１によって車体１５０１の姿勢を検出することができる。物理量検出装置１から出力される物理量信号は、車体の姿勢を制御する制御部（姿勢制御部）としての車体姿勢制御装置１５０２に供給され、車体姿勢制御装置１５０２は、その信号に基づいて車体１５０１の姿勢を検出し、検出結果に応じてサスペンションの硬軟を制御したり、個々の車輪１５０３のブレーキを制御したりすることができる。また、物理量検出装置１は、他にもキーレスエントリー、イモビライザー、カーナビゲーションシステム、カーエアコン、アンチロックブレーキシステム（ＡＢＳ）、エアバック、タイヤ・プレッシャー・モニタリング・システム（ＴＰＭＳ：Tire Pressure Monitoring System）、エンジンコントロール、自動運転用慣性航法の制御機器、ハイブリッド自動車や電気自動車の電池モニター等の電子制御ユニット（ＥＣＵ：electronic control unit）に広く適用できる。
【０２０１】
また、移動体に適用される物理量検出装置１は、上記の例示の他にも、例えば、二足歩行ロボットや電車などの姿勢制御、ラジコン飛行機、ラジコンヘリコプター、およびドローンなどの遠隔操縦あるいは自律式の飛行体の姿勢制御、農業機械（農機）、もしくは建設機械（建機）などの姿勢制御において利用することができる。以上のように、各種移動体の姿勢制御の実現にあたって、物理量検出装置１、およびそれぞれの制御部（不図示）が組み込まれる。
【０２０２】
このような移動体は、静止していないときでも物理量検出素子２Ｘ，２Ｙ，２Ｚの異常を診断することが可能な物理量検出装置１、および制御部（不図示）を含んでいるので、制御部による物理量の変化に基づく制御（姿勢制御等）の信頼性を高めることができる。
【０２０３】
本発明は本実施形態に限定されず、本発明の要旨の範囲内で種々の変形実施が可能である。
【０２０４】
上述した実施形態および変形例は一例であって、これらに限定されるわけではない。例えば、各実施形態および各変形例を適宜組み合わせることも可能である。
【０２０５】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０２０６】
１…物理量検出装置、２Ｘ，２Ｙ，２Ｚ…物理量検出素子、３…物理量検出回路、５Ｘ，５Ｙ，５Ｚ…第１容量形成部、６Ｘ，６Ｙ，６Ｚ…第２容量形成部、７Ｘ，８Ｘ，９Ｘ…端子、１０…マルチプレクサー、１１〜１８…スイッチ回路、２０…Ｑ／Ｖアンプ、３０…プログラマブルゲインアンプ、５０Ｘ，５０Ｙ，５０Ｚ…スイッチトキャパシターフィルター回路、６０…マルチプレクサー、７０…Ａ／Ｄ変換回路、８０…デジタルフィルター、９０…発振回路、１００…制御回路、１１０…駆動回路、１２０…インターフェース回路、１３０…記憶部、１３１…レジスター、１３２…不揮発性メモリー、１４０…異常判定回路、１５０…異常診断回路、２００…基板、２０１…凹部、２０２，２０３，２０４…マウント部、２０５，２０６，２０７…溝部、２１０…素子部、２２０…固定電極部、２２１…第１固定電極部、２２２…第１幹部、２２３，２２３’，２２３”…第１固定電極指、２２４…第１幹部支持部、２２４ａ…接合部、２３１…第２固定電極部、２３２…第２幹部、２３３，２３３’，２３３”…第２固定電極指、２３４…第２幹部支持部、２３４ａ…接合部、２５０…可動部支持部、２５１…接合部、２６０…可動部、２６１…枠部、２６２…第１Ｙ軸延在部、２６３…第１Ｘ軸延在部、２６４…第２Ｙ軸延在部、２６５…第２Ｘ軸延在部、２６６…第１突出部、２６７…第２突出部、２６８…第１開口部、２６９…第２開口部、２７０，２７４…バネ部、２７０ｘ，２７０ｙ…部分、２７１，２７２…バネ片、２８０…可動電極部、２８１…第１可動電極部、２８２，２８２’，２８２”…第１可動電極指、２９１…第２可動電極部、２９２，２９２’，２９２”…第２可動電極指、３０１，３０２，３０３…配線、３１０…蓋部、３１１…凹部、３１２…連通孔、３１３…封止部材、３１４…ガラスフリット、Ｌ…中心軸、Ｌ２２２，Ｌ２３２…軸、４００…慣性計測装置、４１１，４１２，４１３…角速度検出装置、４２１，４２２，４２３…加速度検出装置、４３０…信号処理回路、４４０…記憶部、４５０…通信回路、５００…移動体測位装置、５１０…センサーモジュール、５２０…処理部、５２１…姿勢算出部、５２２…位置算出部、５２３…位置補正部、５３０…操作部、５４０…記憶部、５５０…表示部、５６０…音出力部、５７０…通信部、６００…電子機器、６１０…物理量検出装置、６２０…演算処理装置、６３０…操作部、６４０…ＲＯＭ、６５０…ＲＡＭ、６６０…通信部、６７０…表示部、６８０…音出力部、８００…リスト機器、８１０…機器本体、８２１…第１のバンド部、８２２…第２のバンド部、８３０…トップケース、８４０…ベゼル、８５０…風防板、８６０…吸湿部材、８７０…処理部、８８０…ＧＰＳセンサー、８８１…地磁気センサー、８８２…圧力センサー、８８３…加速度センサー、８８４…角速度センサー、８８５…脈拍センサー、８８６…温度センサー、８７１…操作部、８７２…計時部、８７３…記憶部、８７４…表示部、８７５…音出力部、８７６…通信部、８７７…バッテリー、１５００…自動車、１５０１…車体、１５０２…車体姿勢制御装置、１５０３…車輪
【図１】
2019082441.tif 000003
【図２】
2019082441.tif 000004
【図３】
2019082441.tif 000005
【図４】
2019082441.tif 000006
【図５】
2019082441.tif 000007
【図６】
2019082441.tif 000008
【図７】
2019082441.tif 000009
【図８】
2019082441.tif 000010
【図９】
2019082441.tif 000011
【図１０】
2019082441.tif 000012
【図１１】
2019082441.tif 000013
【図１２】
2019082441.tif 000014
【図１３】
2019082441.tif 000015
【図１４】
2019082441.tif 000016
【図１５】
2019082441.tif 000017
【図１６】
2019082441.tif 000018